(57)【要約】【課題】導光レンズの出光面に形成される輝帯の幅寸法をリニアに変化させる。【解決手段】導光レンズ3の出光面3b2に対向する観察位置VPから出光面3b2を見た時に、ＬＥＤ光源1から照射され、導光レンズ2の入光面2aおよび出光面2bを透過し、導光レンズ3の入光部3aを透過し、導光レンズ3の反射部3cによって内面反射され、導光レンズ3の出光部3bの反射面3b1のプリズムカット3b1aによって内面反射され、導光レンズ3の出光部3bの出光面3b2を透過した光によって、X軸方向に概略平行に延びている輝帯BBが出光面3b2に形成されるＬＥＤ照明装置100において、ＬＥＤ光源1および導光レンズ2に対する導光レンズ3のX軸方向の相対的な移動に伴って、出光面3b2に形成される輝帯BBのY軸方向の幅寸法WBBがリニアに変化する。【選択図】図２
2013178976.tif 000002
【特許請求の範囲】
【請求項１】
概略点状に光って見えるＬＥＤ光源（１）と、ＬＥＤ光源（１）からの光を導光する第１導光レンズ（２）と、第１導光レンズ（２）からの光を導光する第２導光レンズ（３）とを具備し、
ＬＥＤ光源（１）からの光が入光する入光面（２ａ，２ａ’）と、第１導光レンズ（２）によって導光された光が出光する出光面（２ｂ）とを第１導光レンズ（２）に形成し、
ＬＥＤ光源（１）の発光面の発光中心から照射され、第１導光レンズ（２）によって導光され、第１導光レンズ（２）の出光面（２ｂ）から出光する光が互いに平行な光になるように、第１導光レンズ（２）を形成し、
第１導光レンズ（２）の出光面（２ｂ）から出光する光に垂直な第１仮想平面（Ｓ１）に第１導光レンズ（２）の出光面（２ｂ）を投影した場合に、第１仮想平面（Ｓ１）に投影された第１導光レンズ（２）の出光面（２ｂ）の幅寸法のうち、第１仮想平面（Ｓ１）に平行な第１の方向の幅寸法（Ｗ２ｂ）が、第１仮想平面（Ｓ１）に平行であって第１の方向に垂直な第２の方向の位置に応じて異なるように、第１導光レンズ（２）の出光面（２ｂ）の形状を設定し、
第１導光レンズ（２）の出光面（２ｂ）からの光が入光する入光部（３ａ）と、第２導光レンズ（３）によって導光された光が出光する出光部（３ｂ）とを第２導光レンズ（３）に形成し、
第２導光レンズ（３）の入光部（３ａ）からの光を第２導光レンズ（３）の出光部（３ｂ）の側に内面反射する反射部（３ｃ）を第２導光レンズ（３）の入光部（３ａ）と出光部（３ｂ）との間に配置し、
第２導光レンズ（３）の出光部（３ｂ）の表面のうち、第１導光レンズ（２）の反対側の部分に出光面（３ｂ２）を形成し、
第２導光レンズ（３）の出光部（３ｂ）の表面のうち、第１導光レンズ（２）の側の部分に反射面（３ｂ１）を形成し、
第１の方向に概略平行に延びている稜線（３ｂ１ａ１）を有するプリズムカット（３ｂ１ａ）を、第２導光レンズ（３）の出光部（３ｂ）の反射面（３ｂ１）に形成し、
第１の方向に垂直な第２仮想平面（Ｓ２）内における第２導光レンズ（３）の断面形状が、反射部（３ｃ）の位置で屈曲した概略Ｌ字状になるように、第２導光レンズ（３）を形成し、
第２仮想平面（Ｓ２）内における第２導光レンズ（３）の断面形状を第１の方向にスイープすることにより得られる概略押し出し形状に、第２導光レンズ（３）を形成し、
第２導光レンズ（３）の出光部（３ｂ）の出光面（３ｂ２）に対向する観察位置（ＶＰ）から第２導光レンズ（３）の出光部（３ｂ）の出光面（３ｂ２）を見た時に、ＬＥＤ光源（１）から照射され、第１導光レンズ（２）の入光面（２ａ，２ａ’）を透過し、第１導光レンズ（２）の出光面（２ｂ）を透過し、第２導光レンズ（３）の入光部（３ａ）を透過し、第２導光レンズ（３）の反射部（３ｃ）によって内面反射され、第２導光レンズ（３）の出光部（３ｂ）の反射面（３ｂ１）のプリズムカット（３ｂ１ａ）によって内面反射され、第２導光レンズ（３）の出光部（３ｂ）の出光面（３ｂ２）を透過した光によって、第２の方向に概略平行に延びている輝帯（ＢＢ）が、第２導光レンズ（３）の出光部（３ｂ）の出光面（３ｂ２）に形成され、
第２導光レンズ（３）の入光部（３ａ）に対向する位置における第１導光レンズ（２）の出光面（２ｂ）の第１の方向の幅寸法（Ｗ２ｂ）と、第２導光レンズ（３）の出光部（３ｂ）の出光面（３ｂ２）に形成される輝帯（ＢＢ）の第１の方向の幅寸法（ＷＢＢ）とが概略等しくなり、
第２導光レンズ（３）をＬＥＤ光源（１）および第１導光レンズ（２）に対して第２の方向に相対的に移動可能に構成し、
第２導光レンズ（３）がＬＥＤ光源（１）および第１導光レンズ（２）に対して第２の方向に相対的に移動せしめられる時に、第２導光レンズ（３）の出光部（３ｂ）の出光面（３ｂ２）に対向する観察位置（ＶＰ）から第２導光レンズ（３）の出光部（３ｂ）の出光面（３ｂ２）を見ると、ＬＥＤ光源（１）および第１導光レンズ（２）に対する第２導光レンズ（３）の第２の方向の相対的な移動に伴って、第２導光レンズ（３）の出光部（３ｂ）の出光面（３ｂ２）に形成される輝帯（ＢＢ）の第１の方向の幅寸法（ＷＢＢ）がリニアに変化することを特徴とするＬＥＤ照明装置（１００）。
【請求項２】
第１導光レンズ（２）の出光面（２ｂ）の中心に非発光部（２ｃ）が位置するように、第１導光レンズ（２）の出光面（２ｂ）を環状に形成し、
第２導光レンズ（３）がＬＥＤ光源（１）および第１導光レンズ（２）に対して第２の方向に相対的に移動せしめられる時に、第２導光レンズ（３）の出光部（３ｂ）の出光面（３ｂ２）に対向する観察位置（ＶＰ）から第２導光レンズ（３）の出光部（３ｂ）の出光面（３ｂ２）を見ると、ＬＥＤ光源（１）および第１導光レンズ（２）に対する第２導光レンズ（３）の第２の方向の相対的な移動に伴って、
まず最初に、１本の輝帯（ＢＢ１）が第２導光レンズ（３）の出光部（３ｂ）の出光面（３ｂ２）に形成されると共に、その輝帯（ＢＢ１）の第１の方向の幅寸法（ＷＢＢ１）がリニアに増加し、
次いで、２本の輝帯（ＢＢ２，ＢＢ３）が第２導光レンズ（３）の出光部（３ｂ）の出光面（３ｂ２）に形成されると共に、それらの輝帯（ＢＢ２，ＢＢ３）の第１の方向の幅寸法（ＷＢＢ２，ＷＢＢ３）がリニアに減少しかつそれらの輝帯（ＢＢ２，ＢＢ３）の間隔（ＤＴ２３）がリニアに増加し、次いで、それらの輝帯（ＢＢ２，ＢＢ３）の第１の方向の幅寸法（ＷＢＢ２，ＷＢＢ３）がリニアに増加しかつそれらの輝帯（ＢＢ２，ＢＢ３）の間隔（ＤＴ２３）がリニアに減少し、
次いで、１本の輝帯（ＢＢ４）が第２導光レンズ（３）の出光部（３ｂ）の出光面（３ｂ２）に形成されると共に、その輝帯（ＢＢ４）の第１の方向の幅寸法（ＷＢＢ４）がリニアに減少することを特徴とする請求項１に記載のＬＥＤ照明装置（１００）。
【請求項３】
概略点状に光って見えるＬＥＤ光源（１）と、ＬＥＤ光源（１）からの光を導光する第１導光レンズ（２）と、第１導光レンズ（２）からの光を導光する第２導光レンズ（３）とを具備し、
ＬＥＤ光源（１）からの光が入光する入光面（２ａ，２ａ’）と、第１導光レンズ（２）によって導光された光が出光する第１出光面（２ｂ１）と、第１導光レンズ（２）によって導光された光が出光する第２出光面（２ｂ２）とを第１導光レンズ（２）に形成し、
ＬＥＤ光源（１）の発光面の発光中心から照射され、第１導光レンズ（２）によって導光され、第１導光レンズ（２）の第１出光面（２ｂ１）から出光する光と、ＬＥＤ光源（１）の発光面の発光中心から照射され、第１導光レンズ（２）によって導光され、第１導光レンズ（２）の第２出光面（２ｂ２）から出光する光とが互いに平行な光になるように、第１導光レンズ（２）を形成し、
第１導光レンズ（２）の第１出光面（２ｂ１）および第２出光面（２ｂ２）から出光する光に垂直な第１仮想平面（Ｓ１）に第１導光レンズ（２）の第１出光面（２ｂ１）を投影した場合に、第１仮想平面（Ｓ１）に投影された第１導光レンズ（２）の第１出光面（２ｂ１）の幅寸法のうち、第１仮想平面（Ｓ１）に平行な第１の方向の幅寸法（Ｗ２ｂ１）が、第１仮想平面（Ｓ１）に平行であって第１の方向に垂直な第２の方向の位置に応じて異なるように、第１導光レンズ（２）の第１出光面（２ｂ１）の形状を設定し、
第１仮想平面（Ｓ１）に第１導光レンズ（２）の第２出光面（２ｂ２）を投影した場合に、第１仮想平面（Ｓ１）に投影された第１導光レンズ（２）の第２出光面（２ｂ２）の第１の方向の幅寸法（Ｗ２ｂ２）が、第２の方向の位置に応じて異なるように、第１導光レンズ（２）の第２出光面（２ｂ２）の形状を設定し、
第１導光レンズ（２）の第１出光面（２ｂ１）および第２出光面（２ｂ２）からの光が入光する入光部（３ａ）と、第２導光レンズ（３）によって導光された光が出光する出光部（３ｂ）とを第２導光レンズ（３）に形成し、
第２導光レンズ（３）の入光部（３ａ）からの光を第２導光レンズ（３）の出光部（３ｂ）の側に内面反射する反射部（３ｃ）を第２導光レンズ（３）の入光部（３ａ）と出光部（３ｂ）との間に配置し、
第２導光レンズ（３）の出光部（３ｂ）の表面のうち、第１導光レンズ（２）の反対側の部分に出光面（３ｂ２）を形成し、
第２導光レンズ（３）の出光部（３ｂ）の表面のうち、第１導光レンズ（２）の側の部分に反射面（３ｂ１）を形成し、
第１の方向に概略平行に延びている稜線（３ｂ１ａ１）を有するプリズムカット（３ｂ１ａ）を、第２導光レンズ（３）の出光部（３ｂ）の反射面（３ｂ１）に形成し、
第１の方向に垂直な第２仮想平面（Ｓ２）内における第２導光レンズ（３）の断面形状が、反射部（３ｃ）の位置で屈曲した概略Ｌ字状になるように、第２導光レンズ（３）を形成し、
第２仮想平面（Ｓ２）内における第２導光レンズ（３）の断面形状を第１の方向にスイープすることにより得られる概略押し出し形状に、第２導光レンズ（３）を形成し、
第２導光レンズ（３）の出光部（３ｂ）の出光面（３ｂ２）に対向する観察位置（ＶＰ）から第２導光レンズ（３）の出光部（３ｂ）の出光面（３ｂ２）を見た時に、
ＬＥＤ光源（１）から照射され、第１導光レンズ（２）の入光面（２ａ，２ａ’）を透過し、第１導光レンズ（２）の第１出光面（２ｂ１）を透過し、第２導光レンズ（３）の入光部（３ａ）を透過し、第２導光レンズ（３）の反射部（３ｃ）によって内面反射され、第２導光レンズ（３）の出光部（３ｂ）の反射面（３ｂ１）のプリズムカット（３ｂ１ａ）によって内面反射され、第２導光レンズ（３）の出光部（３ｂ）の出光面（３ｂ２）を透過した光によって、第２の方向に概略平行に延びている第１輝帯（ＢＢ１）が、第２導光レンズ（３）の出光部（３ｂ）の出光面（３ｂ２）に形成されると共に、
ＬＥＤ光源（１）から照射され、第１導光レンズ（２）の入光面（２ａ，２ａ’）を透過し、第１導光レンズ（２）の第２出光面（２ｂ２）を透過し、第２導光レンズ（３）の入光部（３ａ）を透過し、第２導光レンズ（３）の反射部（３ｃ）によって内面反射され、第２導光レンズ（３）の出光部（３ｂ）の反射面（３ｂ１）のプリズムカット（３ｂ１ａ）によって内面反射され、第２導光レンズ（３）の出光部（３ｂ）の出光面（３ｂ２）を透過した光によって、第２の方向に概略平行に延びている第２輝帯（ＢＢ２）が、第２導光レンズ（３）の出光部（３ｂ）の出光面（３ｂ２）に形成され、
第２導光レンズ（３）の入光部（３ａ）に対向する位置における第１導光レンズ（２）の第１出光面（２ｂ１）の第１の方向の幅寸法（Ｗ２ｂ１）と、第２導光レンズ（３）の出光部（３ｂ）の出光面（３ｂ２）に形成される第１輝帯（ＢＢ１）の第１の方向の幅寸法（ＷＢＢ１）とが概略等しくなると共に、
第２導光レンズ（３）の入光部（３ａ）に対向する位置における第１導光レンズ（２）の第２出光面（２ｂ２）の第１の方向の幅寸法（Ｗ２ｂ２）と、第２導光レンズ（３）の出光部（３ｂ）の出光面（３ｂ２）に形成される第２輝帯（ＢＢ２）の第１の方向の幅寸法（ＷＢＢ２）とが概略等しくなり、
第２導光レンズ（３）をＬＥＤ光源（１）および第１導光レンズ（２）に対して第２の方向に相対的に移動可能に構成し、
第２導光レンズ（３）がＬＥＤ光源（１）および第１導光レンズ（２）に対して第２の方向に相対的に移動せしめられる時に、第２導光レンズ（３）の出光部（３ｂ）の出光面（３ｂ２）に対向する観察位置（ＶＰ）から第２導光レンズ（３）の出光部（３ｂ）の出光面（３ｂ２）を見ると、ＬＥＤ光源（１）および第１導光レンズ（２）に対する第２導光レンズ（３）の第２の方向の相対的な移動に伴って、第２導光レンズ（３）の出光部（３ｂ）の出光面（３ｂ２）に形成される第１輝帯（ＢＢ１）の第１の方向の幅寸法（ＷＢＢ１）および第２輝帯（ＢＢ２）の第１の方向の幅寸法（ＷＢＢ２）がリニアに変化すると共に、第２導光レンズ（３）の出光部（３ｂ）の出光面（３ｂ２）に形成される輝帯（ＢＢ１，ＢＢ２）の本数が変化することを特徴とするＬＥＤ照明装置（１００）。
【発明の詳細な説明】
【技術分野】
【０００１】
本発明は、概略点状に光って見えるＬＥＤ光源と、概略平行に延びている稜線を有するプリズムカットが形成された導光レンズとを具備し、導光レンズの出光面に対向する観察位置から導光レンズの出光面を見た時に、ＬＥＤ光源から照射され、導光レンズの入光面を透過し、導光レンズの出光面を透過した光によって、導光レンズの出光面に輝帯が形成されるＬＥＤ照明装置に関する。
【０００２】
特に、本発明は、導光レンズの出光面に形成される輝帯の幅寸法をリニアに変化させることができるＬＥＤ照明装置に関する。
【背景技術】
【０００３】
従来から、概略点状に光って見えるＬＥＤ光源と、概略平行に延びている稜線を有するプリズムカットが形成された導光レンズとを具備し、導光レンズの出光面に対向する観察位置から導光レンズの出光面を見た時に、ＬＥＤ光源から照射され、導光レンズの入光面を透過し、導光レンズの出光面を透過した光によって、導光レンズの出光面に輝帯が形成されるＬＥＤ照明装置が知られている。この種のＬＥＤ照明装置の例としては、例えば特許文献１（特開２０１１−２５３６４８号公報）の図１、図３および図６に記載されたものがある。特許文献１の図１、図３および図６に記載されたＬＥＤ照明装置では、導光レンズの入光面に対向するように、複数のＬＥＤ光源が配置されている。更に、複数のＬＥＤ光源のうち点灯されるＬＥＤ光源の数を変更することにより、導光レンズの出光面に形成される輝帯の幅寸法を変化させることができる。
【先行技術文献】
【特許文献】
【０００４】
【特許文献１】特開２０１１−２５３６４８号公報
【発明の概要】
【発明が解決しようとする課題】
【０００５】
ところで、特許文献１の図１、図３および図６に記載されたＬＥＤ照明装置では、導光レンズの出光部の出光面に形成される輝帯の幅寸法を変化させるために、複数のＬＥＤ光源を設けなければならず、更に、複数のＬＥＤ光源の点灯状態を切り換え可能に構成しなければならない。
【０００６】
更に、特許文献１の図１、図３および図６に記載されたＬＥＤ照明装置では、複数のＬＥＤ光源を設け、かつ、複数のＬＥＤ光源の点灯状態を切り換え可能に構成した場合であっても、１個のＬＥＤ光源のＯＮ／ＯＦＦ切り換えによって、導光レンズの出光面に形成される輝帯の幅寸法がステップ状に変化してしまう。つまり、特許文献１の図１、図３および図６に記載されたＬＥＤ照明装置では、導光レンズの出光面に形成される輝帯の幅寸法をリニアに変化させることができない。
【０００７】
前記問題点に鑑み、本発明は、複数のＬＥＤ光源を設け、かつ、複数のＬＥＤ光源の点灯状態を切り換える必要なく、導光レンズの出光部の出光面に形成される輝帯の幅寸法を変化させることができるＬＥＤ照明装置を提供することを目的とする。
【０００８】
詳細には、本発明は、導光レンズの出光部の出光面に形成される輝帯の幅寸法をリニアに変化させることができるＬＥＤ照明装置を提供することを目的とする。
【課題を解決するための手段】
【０００９】
請求項１に記載の発明によれば、概略点状に光って見えるＬＥＤ光源（１）と、ＬＥＤ光源（１）からの光を導光する第１導光レンズ（２）と、第１導光レンズ（２）からの光を導光する第２導光レンズ（３）とを具備し、
ＬＥＤ光源（１）からの光が入光する入光面（２ａ，２ａ’）と、第１導光レンズ（２）によって導光された光が出光する出光面（２ｂ）とを第１導光レンズ（２）に形成し、
ＬＥＤ光源（１）の発光面の発光中心から照射され、第１導光レンズ（２）によって導光され、第１導光レンズ（２）の出光面（２ｂ）から出光する光が互いに平行な光になるように、第１導光レンズ（２）を形成し、
第１導光レンズ（２）の出光面（２ｂ）から出光する光に垂直な第１仮想平面（Ｓ１）に第１導光レンズ（２）の出光面（２ｂ）を投影した場合に、第１仮想平面（Ｓ１）に投影された第１導光レンズ（２）の出光面（２ｂ）の幅寸法のうち、第１仮想平面（Ｓ１）に平行な第１の方向の幅寸法（Ｗ２ｂ）が、第１仮想平面（Ｓ１）に平行であって第１の方向に垂直な第２の方向の位置に応じて異なるように、第１導光レンズ（２）の出光面（２ｂ）の形状を設定し、
第１導光レンズ（２）の出光面（２ｂ）からの光が入光する入光部（３ａ）と、第２導光レンズ（３）によって導光された光が出光する出光部（３ｂ）とを第２導光レンズ（３）に形成し、
第２導光レンズ（３）の入光部（３ａ）からの光を第２導光レンズ（３）の出光部（３ｂ）の側に内面反射する反射部（３ｃ）を第２導光レンズ（３）の入光部（３ａ）と出光部（３ｂ）との間に配置し、
第２導光レンズ（３）の出光部（３ｂ）の表面のうち、第１導光レンズ（２）の反対側の部分に出光面（３ｂ２）を形成し、
第２導光レンズ（３）の出光部（３ｂ）の表面のうち、第１導光レンズ（２）の側の部分に反射面（３ｂ１）を形成し、
第１の方向に概略平行に延びている稜線（３ｂ１ａ１）を有するプリズムカット（３ｂ１ａ）を、第２導光レンズ（３）の出光部（３ｂ）の反射面（３ｂ１）に形成し、
第１の方向に垂直な第２仮想平面（Ｓ２）内における第２導光レンズ（３）の断面形状が、反射部（３ｃ）の位置で屈曲した概略Ｌ字状になるように、第２導光レンズ（３）を形成し、
第２仮想平面（Ｓ２）内における第２導光レンズ（３）の断面形状を第１の方向にスイープすることにより得られる概略押し出し形状に、第２導光レンズ（３）を形成し、
第２導光レンズ（３）の出光部（３ｂ）の出光面（３ｂ２）に対向する観察位置（ＶＰ）から第２導光レンズ（３）の出光部（３ｂ）の出光面（３ｂ２）を見た時に、ＬＥＤ光源（１）から照射され、第１導光レンズ（２）の入光面（２ａ，２ａ’）を透過し、第１導光レンズ（２）の出光面（２ｂ）を透過し、第２導光レンズ（３）の入光部（３ａ）を透過し、第２導光レンズ（３）の反射部（３ｃ）によって内面反射され、第２導光レンズ（３）の出光部（３ｂ）の反射面（３ｂ１）のプリズムカット（３ｂ１ａ）によって内面反射され、第２導光レンズ（３）の出光部（３ｂ）の出光面（３ｂ２）を透過した光によって、第２の方向に概略平行に延びている輝帯（ＢＢ）が、第２導光レンズ（３）の出光部（３ｂ）の出光面（３ｂ２）に形成され、
第２導光レンズ（３）の入光部（３ａ）に対向する位置における第１導光レンズ（２）の出光面（２ｂ）の第１の方向の幅寸法（Ｗ２ｂ）と、第２導光レンズ（３）の出光部（３ｂ）の出光面（３ｂ２）に形成される輝帯（ＢＢ）の第１の方向の幅寸法（ＷＢＢ）とが概略等しくなり、
第２導光レンズ（３）をＬＥＤ光源（１）および第１導光レンズ（２）に対して第２の方向に相対的に移動可能に構成し、
第２導光レンズ（３）がＬＥＤ光源（１）および第１導光レンズ（２）に対して第２の方向に相対的に移動せしめられる時に、第２導光レンズ（３）の出光部（３ｂ）の出光面（３ｂ２）に対向する観察位置（ＶＰ）から第２導光レンズ（３）の出光部（３ｂ）の出光面（３ｂ２）を見ると、ＬＥＤ光源（１）および第１導光レンズ（２）に対する第２導光レンズ（３）の第２の方向の相対的な移動に伴って、第２導光レンズ（３）の出光部（３ｂ）の出光面（３ｂ２）に形成される輝帯（ＢＢ）の第１の方向の幅寸法（ＷＢＢ）がリニアに変化することを特徴とするＬＥＤ照明装置（１００）が提供される。
【００１０】
請求項２に記載の発明によれば、第１導光レンズ（２）の出光面（２ｂ）の中心に非発光部（２ｃ）が位置するように、第１導光レンズ（２）の出光面（２ｂ）を環状に形成し、
第２導光レンズ（３）がＬＥＤ光源（１）および第１導光レンズ（２）に対して第２の方向に相対的に移動せしめられる時に、第２導光レンズ（３）の出光部（３ｂ）の出光面（３ｂ２）に対向する観察位置（ＶＰ）から第２導光レンズ（３）の出光部（３ｂ）の出光面（３ｂ２）を見ると、ＬＥＤ光源（１）および第１導光レンズ（２）に対する第２導光レンズ（３）の第２の方向の相対的な移動に伴って、
まず最初に、１本の輝帯（ＢＢ１）が第２導光レンズ（３）の出光部（３ｂ）の出光面（３ｂ２）に形成されると共に、その輝帯（ＢＢ１）の第１の方向の幅寸法（ＷＢＢ１）がリニアに増加し、
次いで、２本の輝帯（ＢＢ２，ＢＢ３）が第２導光レンズ（３）の出光部（３ｂ）の出光面（３ｂ２）に形成されると共に、それらの輝帯（ＢＢ２，ＢＢ３）の第１の方向の幅寸法（ＷＢＢ２，ＷＢＢ３）がリニアに減少しかつそれらの輝帯（ＢＢ２，ＢＢ３）の間隔（ＤＴ２３）がリニアに増加し、次いで、それらの輝帯（ＢＢ２，ＢＢ３）の第１の方向の幅寸法（ＷＢＢ２，ＷＢＢ３）がリニアに増加しかつそれらの輝帯（ＢＢ２，ＢＢ３）の間隔（ＤＴ２３）がリニアに減少し、
次いで、１本の輝帯（ＢＢ４）が第２導光レンズ（３）の出光部（３ｂ）の出光面（３ｂ２）に形成されると共に、その輝帯（ＢＢ４）の第１の方向の幅寸法（ＷＢＢ４）がリニアに減少することを特徴とする請求項１に記載のＬＥＤ照明装置（１００）が提供される。
【００１１】
請求項３に記載の発明によれば、概略点状に光って見えるＬＥＤ光源（１）と、ＬＥＤ光源（１）からの光を導光する第１導光レンズ（２）と、第１導光レンズ（２）からの光を導光する第２導光レンズ（３）とを具備し、
ＬＥＤ光源（１）からの光が入光する入光面（２ａ，２ａ’）と、第１導光レンズ（２）によって導光された光が出光する第１出光面（２ｂ１）と、第１導光レンズ（２）によって導光された光が出光する第２出光面（２ｂ２）とを第１導光レンズ（２）に形成し、
ＬＥＤ光源（１）の発光面の発光中心から照射され、第１導光レンズ（２）によって導光され、第１導光レンズ（２）の第１出光面（２ｂ１）から出光する光と、ＬＥＤ光源（１）の発光面の発光中心から照射され、第１導光レンズ（２）によって導光され、第１導光レンズ（２）の第２出光面（２ｂ２）から出光する光とが互いに平行な光になるように、第１導光レンズ（２）を形成し、
第１導光レンズ（２）の第１出光面（２ｂ１）および第２出光面（２ｂ２）から出光する光に垂直な第１仮想平面（Ｓ１）に第１導光レンズ（２）の第１出光面（２ｂ１）を投影した場合に、第１仮想平面（Ｓ１）に投影された第１導光レンズ（２）の第１出光面（２ｂ１）の幅寸法のうち、第１仮想平面（Ｓ１）に平行な第１の方向の幅寸法（Ｗ２ｂ１）が、第１仮想平面（Ｓ１）に平行であって第１の方向に垂直な第２の方向の位置に応じて異なるように、第１導光レンズ（２）の第１出光面（２ｂ１）の形状を設定し、
第１仮想平面（Ｓ１）に第１導光レンズ（２）の第２出光面（２ｂ２）を投影した場合に、第１仮想平面（Ｓ１）に投影された第１導光レンズ（２）の第２出光面（２ｂ２）の第１の方向の幅寸法（Ｗ２ｂ２）が、第２の方向の位置に応じて異なるように、第１導光レンズ（２）の第２出光面（２ｂ２）の形状を設定し、
第１導光レンズ（２）の第１出光面（２ｂ１）および第２出光面（２ｂ２）からの光が入光する入光部（３ａ）と、第２導光レンズ（３）によって導光された光が出光する出光部（３ｂ）とを第２導光レンズ（３）に形成し、
第２導光レンズ（３）の入光部（３ａ）からの光を第２導光レンズ（３）の出光部（３ｂ）の側に内面反射する反射部（３ｃ）を第２導光レンズ（３）の入光部（３ａ）と出光部（３ｂ）との間に配置し、
第２導光レンズ（３）の出光部（３ｂ）の表面のうち、第１導光レンズ（２）の反対側の部分に出光面（３ｂ２）を形成し、
第２導光レンズ（３）の出光部（３ｂ）の表面のうち、第１導光レンズ（２）の側の部分に反射面（３ｂ１）を形成し、
第１の方向に概略平行に延びている稜線（３ｂ１ａ１）を有するプリズムカット（３ｂ１ａ）を、第２導光レンズ（３）の出光部（３ｂ）の反射面（３ｂ１）に形成し、
第１の方向に垂直な第２仮想平面（Ｓ２）内における第２導光レンズ（３）の断面形状が、反射部（３ｃ）の位置で屈曲した概略Ｌ字状になるように、第２導光レンズ（３）を形成し、
第２仮想平面（Ｓ２）内における第２導光レンズ（３）の断面形状を第１の方向にスイープすることにより得られる概略押し出し形状に、第２導光レンズ（３）を形成し、
第２導光レンズ（３）の出光部（３ｂ）の出光面（３ｂ２）に対向する観察位置（ＶＰ）から第２導光レンズ（３）の出光部（３ｂ）の出光面（３ｂ２）を見た時に、
ＬＥＤ光源（１）から照射され、第１導光レンズ（２）の入光面（２ａ，２ａ’）を透過し、第１導光レンズ（２）の第１出光面（２ｂ１）を透過し、第２導光レンズ（３）の入光部（３ａ）を透過し、第２導光レンズ（３）の反射部（３ｃ）によって内面反射され、第２導光レンズ（３）の出光部（３ｂ）の反射面（３ｂ１）のプリズムカット（３ｂ１ａ）によって内面反射され、第２導光レンズ（３）の出光部（３ｂ）の出光面（３ｂ２）を透過した光によって、第２の方向に概略平行に延びている第１輝帯（ＢＢ１）が、第２導光レンズ（３）の出光部（３ｂ）の出光面（３ｂ２）に形成されると共に、
ＬＥＤ光源（１）から照射され、第１導光レンズ（２）の入光面（２ａ，２ａ’）を透過し、第１導光レンズ（２）の第２出光面（２ｂ２）を透過し、第２導光レンズ（３）の入光部（３ａ）を透過し、第２導光レンズ（３）の反射部（３ｃ）によって内面反射され、第２導光レンズ（３）の出光部（３ｂ）の反射面（３ｂ１）のプリズムカット（３ｂ１ａ）によって内面反射され、第２導光レンズ（３）の出光部（３ｂ）の出光面（３ｂ２）を透過した光によって、第２の方向に概略平行に延びている第２輝帯（ＢＢ２）が、第２導光レンズ（３）の出光部（３ｂ）の出光面（３ｂ２）に形成され、
第２導光レンズ（３）の入光部（３ａ）に対向する位置における第１導光レンズ（２）の第１出光面（２ｂ１）の第１の方向の幅寸法（Ｗ２ｂ１）と、第２導光レンズ（３）の出光部（３ｂ）の出光面（３ｂ２）に形成される第１輝帯（ＢＢ１）の第１の方向の幅寸法（ＷＢＢ１）とが概略等しくなると共に、
第２導光レンズ（３）の入光部（３ａ）に対向する位置における第１導光レンズ（２）の第２出光面（２ｂ２）の第１の方向の幅寸法（Ｗ２ｂ２）と、第２導光レンズ（３）の出光部（３ｂ）の出光面（３ｂ２）に形成される第２輝帯（ＢＢ２）の第１の方向の幅寸法（ＷＢＢ２）とが概略等しくなり、
第２導光レンズ（３）をＬＥＤ光源（１）および第１導光レンズ（２）に対して第２の方向に相対的に移動可能に構成し、
第２導光レンズ（３）がＬＥＤ光源（１）および第１導光レンズ（２）に対して第２の方向に相対的に移動せしめられる時に、第２導光レンズ（３）の出光部（３ｂ）の出光面（３ｂ２）に対向する観察位置（ＶＰ）から第２導光レンズ（３）の出光部（３ｂ）の出光面（３ｂ２）を見ると、ＬＥＤ光源（１）および第１導光レンズ（２）に対する第２導光レンズ（３）の第２の方向の相対的な移動に伴って、第２導光レンズ（３）の出光部（３ｂ）の出光面（３ｂ２）に形成される第１輝帯（ＢＢ１）の第１の方向の幅寸法（ＷＢＢ１）および第２輝帯（ＢＢ２）の第１の方向の幅寸法（ＷＢＢ２）がリニアに変化すると共に、第２導光レンズ（３）の出光部（３ｂ）の出光面（３ｂ２）に形成される輝帯（ＢＢ１，ＢＢ２）の本数が変化することを特徴とするＬＥＤ照明装置（１００）が提供される。
【発明の効果】
【００１２】
請求項１に記載のＬＥＤ照明装置（１００）では、概略点状に光って見えるＬＥＤ光源（１）と、ＬＥＤ光源（１）からの光を導光する第１導光レンズ（２）と、第１導光レンズ（２）からの光を導光する第２導光レンズ（３）とが設けられている。また、ＬＥＤ光源（１）からの光が入光する入光面（２ａ，２ａ’）と、第１導光レンズ（２）によって導光された光が出光する出光面（２ｂ）とが、第１導光レンズ（２）に形成されている。更に、ＬＥＤ光源（１）の発光面の発光中心から照射され、第１導光レンズ（２）によって導光され、第１導光レンズ（２）の出光面（２ｂ）から出光する光が互いに平行な光になるように、第１導光レンズ（２）が形成されている。
【００１３】
また、請求項１に記載のＬＥＤ照明装置（１００）では、第１導光レンズ（２）の出光面（２ｂ）から出光する光に垂直な第１仮想平面（Ｓ１）に第１導光レンズ（２）の出光面（２ｂ）を投影した場合に、第１仮想平面（Ｓ１）に投影された第１導光レンズ（２）の出光面（２ｂ）の幅寸法のうち、第１仮想平面（Ｓ１）に平行な第１の方向の幅寸法（Ｗ２ｂ）が、第１仮想平面（Ｓ１）に平行であって第１の方向に垂直な第２の方向の位置に応じて異なるように、第１導光レンズ（２）の出光面（２ｂ）の形状が設定されている。
【００１４】
更に、請求項１に記載のＬＥＤ照明装置（１００）では、第１導光レンズ（２）の出光面（２ｂ）からの光が入光する入光部（３ａ）と、第２導光レンズ（３）によって導光された光が出光する出光部（３ｂ）とが、第２導光レンズ（３）に形成されている。また、第２導光レンズ（３）の入光部（３ａ）からの光を第２導光レンズ（３）の出光部（３ｂ）の側に内面反射する反射部（３ｃ）が、第２導光レンズ（３）の入光部（３ａ）と出光部（３ｂ）との間に配置されている。更に、第２導光レンズ（３）の出光部（３ｂ）の表面のうち、第１導光レンズ（２）の反対側の部分に出光面（３ｂ２）が形成されている。
【００１５】
また、請求項１に記載のＬＥＤ照明装置（１００）では、第２導光レンズ（３）の出光部（３ｂ）の表面のうち、第１導光レンズ（２）の側の部分に反射面（３ｂ１）が形成されている。更に、第１の方向に概略平行に延びている稜線（３ｂ１ａ１）を有するプリズムカット（３ｂ１ａ）が、第２導光レンズ（３）の出光部（３ｂ）の反射面（３ｂ１）に形成されている。
【００１６】
更に、請求項１に記載のＬＥＤ照明装置（１００）では、第１の方向に垂直な第２仮想平面（Ｓ２）内における第２導光レンズ（３）の断面形状が、反射部（３ｃ）の位置で屈曲した概略Ｌ字状になるように、第２導光レンズ（３）が形成されている。また、第２仮想平面（Ｓ２）内における第２導光レンズ（３）の断面形状を第１の方向にスイープすることにより得られる概略押し出し形状に、第２導光レンズ（３）が形成されている。
【００１７】
そのため、請求項１に記載のＬＥＤ照明装置（１００）では、第２導光レンズ（３）の出光部（３ｂ）の出光面（３ｂ２）に対向する観察位置（ＶＰ）から第２導光レンズ（３）の出光部（３ｂ）の出光面（３ｂ２）を見た時に、ＬＥＤ光源（１）から照射され、第１導光レンズ（２）の入光面（２ａ，２ａ’）を透過し、第１導光レンズ（２）の出光面（２ｂ）を透過し、第２導光レンズ（３）の入光部（３ａ）を透過し、第２導光レンズ（３）の反射部（３ｃ）によって内面反射され、第２導光レンズ（３）の出光部（３ｂ）の反射面（３ｂ１）のプリズムカット（３ｂ１ａ）によって内面反射され、第２導光レンズ（３）の出光部（３ｂ）の出光面（３ｂ２）を透過した光によって、第２の方向に概略平行に延びている輝帯（ＢＢ）が、第２導光レンズ（３）の出光部（３ｂ）の出光面（３ｂ２）に形成される。
【００１８】
また、請求項１に記載のＬＥＤ照明装置（１００）では、第２導光レンズ（３）の入光部（３ａ）に対向する位置における第１導光レンズ（２）の出光面（２ｂ）の第１の方向の幅寸法（Ｗ２ｂ）と、第２導光レンズ（３）の出光部（３ｂ）の出光面（３ｂ２）に形成される輝帯（ＢＢ）の第１の方向の幅寸法（ＷＢＢ）とが概略等しくなる。
【００１９】
更に、請求項１に記載のＬＥＤ照明装置（１００）では、第２導光レンズ（３）が、ＬＥＤ光源（１）および第１導光レンズ（２）に対して第２の方向に相対的に移動可能に構成されている。
【００２０】
その結果、請求項１に記載のＬＥＤ照明装置（１００）では、第２導光レンズ（３）がＬＥＤ光源（１）および第１導光レンズ（２）に対して第２の方向に相対的に移動せしめられる時に、第２導光レンズ（３）の出光部（３ｂ）の出光面（３ｂ２）に対向する観察位置（ＶＰ）から第２導光レンズ（３）の出光部（３ｂ）の出光面（３ｂ２）を見ると、ＬＥＤ光源（１）および第１導光レンズ（２）に対する第２導光レンズ（３）の第２の方向の相対的な移動に伴って、第２導光レンズ（３）の出光部（３ｂ）の出光面（３ｂ２）に形成される輝帯（ＢＢ）の第１の方向の幅寸法（ＷＢＢ）がリニアに変化する。
【００２１】
すなわち、請求項１に記載のＬＥＤ照明装置（１００）によれば、複数のＬＥＤ光源を設け、かつ、複数のＬＥＤ光源の点灯状態を切り換える必要なく、第２導光レンズ（３）の出光部（３ｂ）の出光面（３ｂ２）に形成される輝帯（ＢＢ）の第１の方向の幅寸法（ＷＢＢ）を変化させることができる。
【００２２】
詳細には、請求項１に記載のＬＥＤ照明装置（１００）によれば、複数のＬＥＤ光源が設けられ、かつ、複数のＬＥＤ光源の点灯状態が切り換える場合とは異なり、第２導光レンズ（３）の出光部（３ｂ）の出光面（３ｂ２）に形成される輝帯（ＢＢ）の第１の方向の幅寸法（ＷＢＢ）をリニアに変化させることができる。
【００２３】
請求項２に記載のＬＥＤ照明装置（１００）では、第１導光レンズ（２）の出光面（２ｂ）の中心に非発光部（２ｃ）が位置するように、第１導光レンズ（２）の出光面（２ｂ）が環状に形成されている。
【００２４】
詳細には、請求項２に記載のＬＥＤ照明装置（１００）では、第２導光レンズ（３）がＬＥＤ光源（１）および第１導光レンズ（２）に対して第２の方向に相対的に移動せしめられる時に、第２導光レンズ（３）の出光部（３ｂ）の出光面（３ｂ２）に対向する観察位置（ＶＰ）から第２導光レンズ（３）の出光部（３ｂ）の出光面（３ｂ２）を見ると、ＬＥＤ光源（１）および第１導光レンズ（２）に対する第２導光レンズ（３）の第２の方向の相対的な移動に伴って、まず最初に、１本の輝帯（ＢＢ１）が第２導光レンズ（３）の出光部（３ｂ）の出光面（３ｂ２）に形成されると共に、その輝帯（ＢＢ１）の第１の方向の幅寸法（ＷＢＢ１）がリニアに増加する。次いで、ＬＥＤ光源（１）および第１導光レンズ（２）に対する第２導光レンズ（３）の第２の方向の相対的な更なる移動に伴って、２本の輝帯（ＢＢ２，ＢＢ３）が第２導光レンズ（３）の出光部（３ｂ）の出光面（３ｂ２）に形成されると共に、それらの輝帯（ＢＢ２，ＢＢ３）の第１の方向の幅寸法（ＷＢＢ２，ＷＢＢ３）がリニアに減少しかつそれらの輝帯（ＢＢ２，ＢＢ３）の間隔（ＤＴ２３）がリニアに増加し、次いで、それらの輝帯（ＢＢ２，ＢＢ３）の第１の方向の幅寸法（ＷＢＢ２，ＷＢＢ３）がリニアに増加しかつそれらの輝帯（ＢＢ２，ＢＢ３）の間隔（ＤＴ２３）がリニアに減少する。次いで、ＬＥＤ光源（１）および第１導光レンズ（２）に対する第２導光レンズ（３）の第２の方向の相対的な更なる移動に伴って、１本の輝帯（ＢＢ４）が第２導光レンズ（３）の出光部（３ｂ）の出光面（３ｂ２）に形成されると共に、その輝帯（ＢＢ４）の第１の方向の幅寸法（ＷＢＢ４）がリニアに減少する。
【００２５】
すなわち、請求項２に記載のＬＥＤ照明装置（１００）によれば、第２導光レンズ（３）の出光部（３ｂ）の出光面（３ｂ２）に形成される輝帯（ＢＢ１，ＢＢ２，ＢＢ３，ＢＢ４）の第１の方向の幅寸法（ＷＢＢ１，ＷＢＢ２，ＷＢＢ３，ＷＢＢ４）およびそれらの間隔（ＤＴ２３）をリニアに変化させることができると共に、それらの本数を変化させることができる。
【００２６】
請求項３に記載のＬＥＤ照明装置（１００）では、概略点状に光って見えるＬＥＤ光源（１）と、ＬＥＤ光源（１）からの光を導光する第１導光レンズ（２）と、第１導光レンズ（２）からの光を導光する第２導光レンズ（３）とが設けられている。また、ＬＥＤ光源（１）からの光が入光する入光面（２ａ，２ａ’）と、第１導光レンズ（２）によって導光された光が出光する第１出光面（２ｂ１）と、第１導光レンズ（２）によって導光された光が出光する第２出光面（２ｂ２）とが、第１導光レンズ（２）に形成されている。更に、ＬＥＤ光源（１）の発光面の発光中心から照射され、第１導光レンズ（２）によって導光され、第１導光レンズ（２）の第１出光面（２ｂ１）から出光する光と、ＬＥＤ光源（１）の発光面の発光中心から照射され、第１導光レンズ（２）によって導光され、第１導光レンズ（２）の第２出光面（２ｂ２）から出光する光とが互いに平行な光になるように、第１導光レンズ（２）が形成されている。
【００２７】
また、請求項３に記載のＬＥＤ照明装置（１００）では、第１導光レンズ（２）の第１出光面（２ｂ１）および第２出光面（２ｂ２）から出光する光に垂直な第１仮想平面（Ｓ１）に第１導光レンズ（２）の第１出光面（２ｂ１）を投影した場合に、第１仮想平面（Ｓ１）に投影された第１導光レンズ（２）の第１出光面（２ｂ１）の幅寸法のうち、第１仮想平面（Ｓ１）に平行な第１の方向の幅寸法（Ｗ２ｂ１）が、第１仮想平面（Ｓ１）に平行であって第１の方向に垂直な第２の方向の位置に応じて異なるように、第１導光レンズ（２）の第１出光面（２ｂ１）の形状が設定されている。
【００２８】
更に、請求項３に記載のＬＥＤ照明装置（１００）では、第１仮想平面（Ｓ１）に第１導光レンズ（２）の第２出光面（２ｂ２）を投影した場合に、第１仮想平面（Ｓ１）に投影された第１導光レンズ（２）の第２出光面（２ｂ２）の第１の方向の幅寸法（Ｗ２ｂ２）が、第２の方向の位置に応じて異なるように、第１導光レンズ（２）の第２出光面（２ｂ２）の形状が設定されている。
【００２９】
また、請求項３に記載のＬＥＤ照明装置（１００）では、第１導光レンズ（２）の第１出光面（２ｂ１）および第２出光面（２ｂ２）からの光が入光する入光部（３ａ）と、第２導光レンズ（３）によって導光された光が出光する出光部（３ｂ）とが、第２導光レンズ（３）に形成されている。更に、第２導光レンズ（３）の入光部（３ａ）からの光を第２導光レンズ（３）の出光部（３ｂ）の側に内面反射する反射部（３ｃ）が、第２導光レンズ（３）の入光部（３ａ）と出光部（３ｂ）との間に配置されている。また、第２導光レンズ（３）の出光部（３ｂ）の表面のうち、第１導光レンズ（２）の反対側の部分に出光面（３ｂ２）が形成されている。
【００３０】
更に、請求項３に記載のＬＥＤ照明装置（１００）では、第２導光レンズ（３）の出光部（３ｂ）の表面のうち、第１導光レンズ（２）の側の部分に反射面（３ｂ１）が形成されている。また、第１の方向に概略平行に延びている稜線（３ｂ１ａ１）を有するプリズムカット（３ｂ１ａ）が、第２導光レンズ（３）の出光部（３ｂ）の反射面（３ｂ１）に形成されている。
【００３１】
また、請求項３に記載のＬＥＤ照明装置（１００）では、第１の方向に垂直な第２仮想平面（Ｓ２）内における第２導光レンズ（３）の断面形状が、反射部（３ｃ）の位置で屈曲した概略Ｌ字状になるように、第２導光レンズ（３）が形成されている。更に、第２仮想平面（Ｓ２）内における第２導光レンズ（３）の断面形状を第１の方向にスイープすることにより得られる概略押し出し形状に、第２導光レンズ（３）が形成されている。
【００３２】
そのため、請求項３に記載のＬＥＤ照明装置（１００）では、第２導光レンズ（３）の出光部（３ｂ）の出光面（３ｂ２）に対向する観察位置（ＶＰ）から第２導光レンズ（３）の出光部（３ｂ）の出光面（３ｂ２）を見た時に、ＬＥＤ光源（１）から照射され、第１導光レンズ（２）の入光面（２ａ，２ａ’）を透過し、第１導光レンズ（２）の第１出光面（２ｂ１）を透過し、第２導光レンズ（３）の入光部（３ａ）を透過し、第２導光レンズ（３）の反射部（３ｃ）によって内面反射され、第２導光レンズ（３）の出光部（３ｂ）の反射面（３ｂ１）のプリズムカット（３ｂ１ａ）によって内面反射され、第２導光レンズ（３）の出光部（３ｂ）の出光面（３ｂ２）を透過した光によって、第２の方向に概略平行に延びている第１輝帯（ＢＢ１）が、第２導光レンズ（３）の出光部（３ｂ）の出光面（３ｂ２）に形成される。
【００３３】
更に、請求項３に記載のＬＥＤ照明装置（１００）では、第２導光レンズ（３）の出光部（３ｂ）の出光面（３ｂ２）に対向する観察位置（ＶＰ）から第２導光レンズ（３）の出光部（３ｂ）の出光面（３ｂ２）を見た時に、ＬＥＤ光源（１）から照射され、第１導光レンズ（２）の入光面（２ａ，２ａ’）を透過し、第１導光レンズ（２）の第２出光面（２ｂ２）を透過し、第２導光レンズ（３）の入光部（３ａ）を透過し、第２導光レンズ（３）の反射部（３ｃ）によって内面反射され、第２導光レンズ（３）の出光部（３ｂ）の反射面（３ｂ１）のプリズムカット（３ｂ１ａ）によって内面反射され、第２導光レンズ（３）の出光部（３ｂ）の出光面（３ｂ２）を透過した光によって、第２の方向に概略平行に延びている第２輝帯（ＢＢ２）が、第２導光レンズ（３）の出光部（３ｂ）の出光面（３ｂ２）に形成される。
【００３４】
また、請求項３に記載のＬＥＤ照明装置（１００）では、第２導光レンズ（３）の入光部（３ａ）に対向する位置における第１導光レンズ（２）の第１出光面（２ｂ１）の第１の方向の幅寸法（Ｗ２ｂ１）と、第２導光レンズ（３）の出光部（３ｂ）の出光面（３ｂ２）に形成される第１輝帯（ＢＢ１）の第１の方向の幅寸法（ＷＢＢ１）とが概略等しくなる。更に、第２導光レンズ（３）の入光部（３ａ）に対向する位置における第１導光レンズ（２）の第２出光面（２ｂ２）の第１の方向の幅寸法（Ｗ２ｂ２）と、第２導光レンズ（３）の出光部（３ｂ）の出光面（３ｂ２）に形成される第２輝帯（ＢＢ２）の第１の方向の幅寸法（ＷＢＢ２）とが概略等しくなる。
【００３５】
更に、請求項３に記載のＬＥＤ照明装置（１００）では、第２導光レンズ（３）が、ＬＥＤ光源（１）および第１導光レンズ（２）に対して第２の方向に相対的に移動可能に構成されている。
【００３６】
その結果、請求項３に記載のＬＥＤ照明装置（１００）では、第２導光レンズ（３）がＬＥＤ光源（１）および第１導光レンズ（２）に対して第２の方向に相対的に移動せしめられる時に、第２導光レンズ（３）の出光部（３ｂ）の出光面（３ｂ２）に対向する観察位置（ＶＰ）から第２導光レンズ（３）の出光部（３ｂ）の出光面（３ｂ２）を見ると、ＬＥＤ光源（１）および第１導光レンズ（２）に対する第２導光レンズ（３）の第２の方向の相対的な移動に伴って、第２導光レンズ（３）の出光部（３ｂ）の出光面（３ｂ２）に形成される第１輝帯（ＢＢ１）の第１の方向の幅寸法（ＷＢＢ１）および第２輝帯（ＢＢ２）の第１の方向の幅寸法（ＷＢＢ２）がリニアに変化すると共に、第２導光レンズ（３）の出光部（３ｂ）の出光面（３ｂ２）に形成される輝帯（ＢＢ１，ＢＢ２）の本数が変化する。
【００３７】
すなわち、請求項３に記載のＬＥＤ照明装置（１００）によれば、複数のＬＥＤ光源を設け、かつ、複数のＬＥＤ光源の点灯状態を切り換える必要なく、第２導光レンズ（３）の出光部（３ｂ）の出光面（３ｂ２）に形成される輝帯（ＢＢ１，ＢＢ２）の第１の方向の幅寸法（ＷＢＢ１，ＷＢＢ２）、および、それらの本数を変化させることができる。
【００３８】
詳細には、請求項３に記載のＬＥＤ照明装置（１００）によれば、複数のＬＥＤ光源が設けられ、かつ、複数のＬＥＤ光源の点灯状態が切り換える場合とは異なり、第２導光レンズ（３）の出光部（３ｂ）の出光面（３ｂ２）に形成される輝帯（ＢＢ１，ＢＢ２）の第１の方向の幅寸法（ＷＢＢ１，ＷＢＢ２）をリニアに変化させることができる。
【図面の簡単な説明】
【００３９】
【図１】第１の実施形態のＬＥＤ照明装置１００を示した図である。
【図２】第１の実施形態のＬＥＤ照明装置１００を示した図である。
【図３】第１の実施形態のＬＥＤ照明装置１００の一部を構成する導光レンズ２を説明するための図である。
【図４】第１の実施形態のＬＥＤ照明装置１００の一部を構成する導光レンズ３を説明するための図である。
【図５】第１の実施形態のＬＥＤ照明装置１００の図１および図２に示す状態の時における導光レンズ２の出光面２ｂおよび導光レンズ３の入光部３ａの入光面３ａ１を仮想平面Ｓ１に投影した拡大図である。
【図６】第１の実施形態のＬＥＤ照明装置１００の図１および図２に示す状態の時に、ＬＥＤ光源１の発光面の発光中心から照射され、仮想平面Ｓ２内を進み、導光レンズ２，３によって導光され、観察位置ＶＰに到達する光Ｌ１を概略的に示した図である。
【図７】第１の実施形態のＬＥＤ照明装置１００の図１および図２に示す状態の時に、ＬＥＤ光源１の発光面の発光中心から照射され、仮想平面Ｓ２内を進み、導光レンズ２，３によって導光され、観察位置ＶＰに到達する光Ｌ２を概略的に示した図である。
【図８】第１の実施形態のＬＥＤ照明装置１００の図１および図２に示す状態の時に、ＬＥＤ光源１の発光面の発光中心から照射され、仮想平面Ｓ２内を進み、導光レンズ２，３によって導光され、観察位置ＶＰに到達する光Ｌ３を概略的に示した図である。
【図９】第１の実施形態のＬＥＤ照明装置１００の図１および図２に示す状態の時に、ＬＥＤ光源１の発光面の発光中心から照射され、仮想平面Ｓ２内を進み、導光レンズ２，３によって導光され、観察位置ＶＰに到達する光Ｌ４を概略的に示した図である。
【図１０】第１の実施形態のＬＥＤ照明装置１００の図１および図２に示す状態の時に、ＬＥＤ光源１の発光面の発光中心から照射され、仮想平面Ｓ２内を進み、導光レンズ２，３によって導光され、観察位置ＶＰに到達する光Ｌ５を概略的に示した図である。
【図１１】第１の実施形態のＬＥＤ照明装置１００の図１および図２に示す状態の時に、ＬＥＤ光源１の発光面の発光中心から照射され、仮想平面Ｓ２内を進み、導光レンズ２，３によって導光され、観察位置ＶＰに到達する光Ｌ６を概略的に示した図である。
【図１２】第１の実施形態のＬＥＤ照明装置１００の図１および図２に示す状態の時に、ＬＥＤ光源１の発光面の発光中心から照射され、仮想平面Ｓ２内を進み、導光レンズ２，３によって導光され、観察位置ＶＰに到達する光Ｌ７を概略的に示した図である。
【図１３】第１の実施形態のＬＥＤ照明装置１００の図１および図２に示す状態の時に、ＬＥＤ光源１から照射され、導光レンズ２，３によって導光された光によって導光レンズ３の出光部３ｂの出光面３ｂ２に形成される輝帯ＢＢなどを示した図である。
【図１４】導光レンズ３の入光部３ａの入光面３ａ１がＸ軸方向の位置Ｘ１に配置されている時の第１の実施形態のＬＥＤ照明装置１００を説明するための図である。
【図１５】導光レンズ３の入光部３ａの入光面３ａ１がＸ軸方向の位置Ｘ２に配置されている時の第１の実施形態のＬＥＤ照明装置１００を説明するための図である。
【図１６】導光レンズ３の入光部３ａの入光面３ａ１がＸ軸方向の位置Ｘ４に配置されている時の第１の実施形態のＬＥＤ照明装置１００を説明するための図である。
【図１７】導光レンズ３の入光部３ａの入光面３ａ１がＸ軸方向の位置Ｘ５に配置されている時の第１の実施形態のＬＥＤ照明装置１００を説明するための図である。
【図１８】第８の実施形態のＬＥＤ照明装置１００を示した図である。
【図１９】第８の実施形態のＬＥＤ照明装置１００を示した図である。
【図２０】第８の実施形態のＬＥＤ照明装置１００の一部を構成する導光レンズ２を説明するための図である。
【図２１】導光レンズ３の入光部３ａの入光面３ａ１がＸ軸方向の位置Ｘ１に配置されている時の第８の実施形態のＬＥＤ照明装置１００を説明するための図である。
【図２２】導光レンズ３の入光部３ａの入光面３ａ１がＸ軸方向の位置Ｘ２に配置されている時の第８の実施形態のＬＥＤ照明装置１００を説明するための図である。
【図２３】導光レンズ３の入光部３ａの入光面３ａ１がＸ軸方向の位置Ｘ２ａに配置されている時の第８の実施形態のＬＥＤ照明装置１００を説明するための図である。
【図２４】導光レンズ３の入光部３ａの入光面３ａ１がＸ軸方向の位置Ｘ２ｂに配置されている時の第８の実施形態のＬＥＤ照明装置１００を説明するための図である。
【図２５】導光レンズ３の入光部３ａの入光面３ａ１がＸ軸方向の位置Ｘ３に配置されている時の第８の実施形態のＬＥＤ照明装置１００を説明するための図である。
【図２６】導光レンズ３の入光部３ａの入光面３ａ１がＸ軸方向の位置Ｘ３ａに配置されている時の第８の実施形態のＬＥＤ照明装置１００を説明するための図である。
【図２７】導光レンズ３の入光部３ａの入光面３ａ１がＸ軸方向の位置Ｘ３ｂに配置されている時の第８の実施形態のＬＥＤ照明装置１００を説明するための図である。
【図２８】導光レンズ３の入光部３ａの入光面３ａ１がＸ軸方向の位置Ｘ４に配置されている時の第８の実施形態のＬＥＤ照明装置１００を説明するための図である。
【図２９】導光レンズ３の入光部３ａの入光面３ａ１がＸ軸方向の位置Ｘ５に配置されている時の第８の実施形態のＬＥＤ照明装置１００を説明するための図である。
【図３０】第９の実施形態のＬＥＤ照明装置１００を示した図である。
【図３１】第９の実施形態のＬＥＤ照明装置１００を示した図である。
【図３２】第９の実施形態のＬＥＤ照明装置１００の一部を構成する導光レンズ２を説明するための図である。
【図３３】第９の実施形態のＬＥＤ照明装置１００の一部を構成する導光レンズ２を説明するための図である。
【図３４】導光レンズ３の入光部３ａの入光面３ａ１がＸ軸方向の位置Ｘ１に配置されている時の第９の実施形態のＬＥＤ照明装置１００を説明するための図である。
【図３５】導光レンズ３の入光部３ａの入光面３ａ１がＸ軸方向の位置Ｘ２に配置されている時の第９の実施形態のＬＥＤ照明装置１００を説明するための図である。
【図３６】導光レンズ３の入光部３ａの入光面３ａ１がＸ軸方向の位置Ｘ２ｃに配置されている時の第９の実施形態のＬＥＤ照明装置１００を説明するための図である。
【図３７】導光レンズ３の入光部３ａの入光面３ａ１がＸ軸方向の位置Ｘ２ｄに配置されている時の第９の実施形態のＬＥＤ照明装置１００を説明するための図である。
【図３８】導光レンズ３の入光部３ａの入光面３ａ１がＸ軸方向の位置Ｘ２ｅに配置されている時の第９の実施形態のＬＥＤ照明装置１００を説明するための図である。
【図３９】導光レンズ３の入光部３ａの入光面３ａ１がＸ軸方向の位置Ｘ２ｆに配置されている時の第９の実施形態のＬＥＤ照明装置１００を説明するための図である。
【図４０】導光レンズ３の入光部３ａ（図４参照）の入光面３ａ１がＸ軸方向の位置Ｘ３に配置されている時の第９の実施形態のＬＥＤ照明装置１００を説明するための図である。
【発明を実施するための形態】
【００４０】
以下、本発明のＬＥＤ照明装置の第１の実施形態について説明する。図１および図２は第１の実施形態のＬＥＤ照明装置１００を示した図である。詳細には、図１（Ａ）は第１の実施形態のＬＥＤ照明装置１００の平面図、図１（Ｂ）は第１の実施形態のＬＥＤ照明装置１００の正面図、図２（Ａ）は図１（Ａ）のＡ−Ａ線に沿った第１の実施形態のＬＥＤ照明装置１００の鉛直断面図、図２（Ｂ）は図１（Ａ）のＢ−Ｂ線に沿った第１の実施形態のＬＥＤ照明装置１００の鉛直断面図である。図３は第１の実施形態のＬＥＤ照明装置１００の一部を構成する導光レンズ２を説明するための図である。詳細には、図３（Ａ）はＬＥＤ光源１の発光面の発光中心から照射され、図２（Ａ）に示す断面内を進み、導光レンズ２の入光面２ａおよび出光面２ｂを透過する光を示した拡大図である。図３（Ｂ）は水平な仮想平面Ｓ１（図２（Ａ）参照）に投影された導光レンズ２（図２（Ａ）参照）の出光面２ｂ（図２（Ａ）参照）を示した拡大図である。図４は第１の実施形態のＬＥＤ照明装置１００の一部を構成する導光レンズ３を説明するための図である。詳細には、図４（Ａ）は導光レンズ３の正面図、図４（Ｂ）は左前側かつ上側から導光レンズ３の一部を拡大して見た斜視図、図４（Ｃ）は右前側かつ下側から導光レンズ３の一部を更に拡大して見た斜視図である。
【００４１】
図５は第１の実施形態のＬＥＤ照明装置１００の図１および図２に示す状態の時における導光レンズ２（図２（Ａ）参照）の出光面２ｂおよび導光レンズ３（図２（Ａ）参照）の入光部３ａ（図２（Ａ）参照）の入光面３ａ１（図４（Ａ）参照）を仮想平面Ｓ１（図２（Ａ）参照）に投影した拡大図である。図６〜図１２は第１の実施形態のＬＥＤ照明装置１００の図１および図２に示す状態の時に、ＬＥＤ光源１の発光面の発光中心から照射され、仮想平面Ｓ２（図１（Ａ）および図５参照）内を進み、導光レンズ２，３によって導光され、観察位置ＶＰに到達する光Ｌ１，Ｌ２，Ｌ３，Ｌ４，Ｌ５，Ｌ６，Ｌ７を概略的に示した図である。図１３（Ａ）は第１の実施形態のＬＥＤ照明装置１００の図１および図２に示す状態の時に、ＬＥＤ光源１の発光面の発光中心から照射され、仮想平面Ｓ２（図１（Ａ）および図５参照）内を進み、導光レンズ２，３によって導光された光によって導光レンズ３の出光部３ｂの出光面３ｂ２に形成される輝線ＢＬ１、ＬＥＤ光源１の発光面の発光中心から照射され、導光レンズ２によって導光され、仮想平面Ｓ１（図２（Ａ）および図５参照）内の直線ａｂ（図５参照）上を透過し、導光レンズ３によって導光された光によって導光レンズ３の出光部３ｂの出光面３ｂ２に形成される輝線ＢＬ２、および、ＬＥＤ光源１の発光面の発光中心から照射され、導光レンズ２によって導光され、仮想平面Ｓ１（図２（Ａ）および図５参照）内の直線ｃｄ（図５参照）上を透過し、導光レンズ３によって導光された光によって導光レンズ３の出光部３ｂの出光面３ｂ２に形成される輝線ＢＬ３を示した図である。図１３（Ｂ）は第１の実施形態のＬＥＤ照明装置１００の図１および図２に示す状態の時に、ＬＥＤ光源１から照射され、導光レンズ２，３によって導光された光によって導光レンズ３の出光部３ｂの出光面３ｂ２に形成される輝帯ＢＢを示した図である。
【００４２】
図１４は導光レンズ３の入光部３ａ（図４参照）の入光面３ａ１がＸ軸方向の位置Ｘ１に配置されている時の第１の実施形態のＬＥＤ照明装置１００を説明するための図である。図１５は導光レンズ３の入光部３ａ（図４参照）の入光面３ａ１がＸ軸方向の位置Ｘ２に配置されている時の第１の実施形態のＬＥＤ照明装置１００を説明するための図である。図１６は導光レンズ３の入光部３ａ（図４参照）の入光面３ａ１がＸ軸方向の位置Ｘ４に配置されている時の第１の実施形態のＬＥＤ照明装置１００を説明するための図である。図１７は導光レンズ３の入光部３ａ（図４参照）の入光面３ａ１がＸ軸方向の位置Ｘ５に配置されている時の第１の実施形態のＬＥＤ照明装置１００を説明するための図である。
【００４３】
第１の実施形態のＬＥＤ照明装置１００では、図２（Ａ）に示すように、概略点状に光って見えるＬＥＤ光源１が、例えば基板４に実装されている。更に、ＬＥＤ光源１からの光を導光するための導光レンズ２が、例えばホルダ５を介して基板４に接続されている。また、ＬＥＤ光源１と導光レンズ２と基板４とホルダ５とによって構成される組立体が、例えばベース部材１００ａに接続されている。
【００４４】
更に、第１の実施形態のＬＥＤ照明装置１００では、図２（Ｂ）に示すように、例えば前壁部材１００ｂがベース部材１００ａに接続されると共に、例えば後壁部材１００ｃがベース部材１００ａに接続されている。また、図２（Ａ）に示すように、導光レンズ２からの光を導光するための導光レンズ３が設けられている。詳細には、図２（Ｂ）に示すように、例えば前側ホルダ６ａが導光レンズ３の前側面３ｄに接続されると共に、例えば後側ホルダ６ｂが導光レンズ３の後側面３ｅに接続されている。
【００４５】
また、第１の実施形態のＬＥＤ照明装置１００では、図２（Ｂ）に示すように、例えば前側ホルダ６ａの被支持部６ａ１が、前壁部材１００ｂの水平方向（Ｘ軸方向）に延びている溝１００ｂ１によって支持されると共に、例えば後側ホルダ６ｂの被支持部６ｂ１が、後壁部材１００ｃの水平方向（Ｘ軸方向）に延びている溝１００ｃ１（図２（Ａ）参照）によって支持されている。更に、例えば前壁部材１００ｂの穴１００ｂ２に接続されたモータ７ａの出力軸７ａ１上のピニオン７ｂと、前側ホルダ６ａのラック６ａ２とが歯合せしめられている。その結果、第１の実施形態のＬＥＤ照明装置１００では、モータ７ａを回転させることにより、導光レンズ３と前側ホルダ６ａと後側ホルダ６ｂとによって構成される組立体を、ＬＥＤ光源１と導光レンズ２と基板４とホルダ５とによって構成される組立体、ベース部材１００ａ、前壁部材１００ｂおよび後壁部材１００ｃに対して水平方向（Ｘ軸方向）に移動させることができる。
【００４６】
第１の実施形態のＬＥＤ照明装置１００では、モータ７ａ、ピニオン７ｂおよびラック６ａ２によって、導光レンズ３がＬＥＤ光源１および導光レンズ２に対して水平方向（Ｘ軸方向）に相対的に移動可能に構成されているが、第２の実施形態のＬＥＤ照明装置１００では、導光レンズ３をＬＥＤ光源１および導光レンズ２に対して水平方向（Ｘ軸方向）に相対的に移動可能に構成するために、例えばソレノイドなどのような任意の駆動手段をモータ７ａの代わりに用いたり、例えばベルト、ワイヤーなどのような任意の駆動伝達手段をピニオン７ｂおよびラック６ａ２の代わりに用いたりすることも可能である。
【００４７】
更に、第１の実施形態のＬＥＤ照明装置１００では、図２（Ａ）および図３（Ａ）に示すように、ＬＥＤ光源１からの光が入光する入光面２ａと、導光レンズ２によって導光された光が出光する出光面２ｂとが、導光レンズ２に形成されている。また、図３（Ａ）に示すように、ＬＥＤ光源１の発光面の発光中心から照射され、導光レンズ２によって導光され、導光レンズ２の出光面２ｂから出光する光がＺ軸方向に平行な光になるように、導光レンズ２が形成されている。
【００４８】
第１の実施形態のＬＥＤ照明装置１００では、図２（Ａ）および図３（Ａ）に示すように、導光レンズ２の出光面２ｂから出光する光が互いに平行な光になるように、導光レンズ２の入光面２ａが凸状に形成されると共に、導光レンズ２の出光面２ｂが平面状に形成されているが、第３の実施形態のＬＥＤ照明装置１００では、代わりに、導光レンズ２の出光面２ｂから出光する光が互いに平行な光になるように、導光レンズ２の入光面２ａを平面状に形成すると共に導光レンズ２の出光面２ｂを凸状に形成したり、導光レンズ２の入光面２ａを凸状に形成すると共に導光レンズ２の出光面２ｂを凸状に形成したり、導光レンズ２の入光面２ａを凹状に形成すると共に導光レンズ２の出光面２ｂを凸状に形成したりすることも可能である。
【００４９】
また、第１の実施形態のＬＥＤ照明装置１００では、図３（Ｂ）に示すように、導光レンズ２（図３（Ａ）参照）の出光面２ｂ（図３（Ａ）参照）から出光する光に垂直（つまり、Ｚ軸に垂直）な仮想平面Ｓ１（図２（Ａ）参照）に導光レンズ２の出光面２ｂを投影すると、仮想平面Ｓ１に投影された導光レンズ２の出光面２ｂの幅寸法のうち、仮想平面Ｓ１に平行であってＸ軸方向に垂直なＹ軸方向の幅寸法Ｗ２ｂが、Ｘ軸方向の位置に応じて異なるように、導光レンズ２の出光面２ｂの形状が設定されている。
【００５０】
詳細には、第１の実施形態のＬＥＤ照明装置１００では、図３に示すように、導光レンズ２が、その中心軸線２’を中心とする回転体形状に形成されている。そのため、第１の実施形態のＬＥＤ照明装置１００では、図３（Ｂ）に示すように、仮想平面Ｓ１に投影された導光レンズ２（図３（Ａ）参照）の出光面２ｂの形状が、円形状になる。図３（Ｂ）に示す例では、Ｘ軸方向の位置Ｘ１における仮想平面Ｓ１に投影された導光レンズ２の出光面２ｂのＹ軸方向の幅寸法Ｗ２ｂがゼロになると共に、Ｘ軸方向の位置Ｘ５における仮想平面Ｓ１に投影された導光レンズ２の出光面２ｂのＹ軸方向の幅寸法Ｗ２ｂがゼロになる。また、Ｘ軸方向の位置Ｘ２における仮想平面Ｓ１に投影された導光レンズ２の出光面２ｂのＹ軸方向の幅寸法Ｗ２ｂ（Ｘ２）、および、Ｘ軸方向の位置Ｘ４における仮想平面Ｓ１に投影された導光レンズ２の出光面２ｂのＹ軸方向の幅寸法Ｗ２ｂ（Ｘ４）が、Ｘ軸方向の位置Ｘ３における仮想平面Ｓ１に投影された導光レンズ２の出光面２ｂのＹ軸方向の幅寸法Ｗ２ｂ（Ｘ３）よりも小さくなる。
【００５１】
第１の実施形態のＬＥＤ照明装置１００では、図３（Ｂ）に示すように、仮想平面Ｓ１に投影された導光レンズ２の出光面２ｂのＹ軸方向の幅寸法Ｗ２ｂがＸ軸方向の位置に応じて異なるように、仮想平面Ｓ１に投影された導光レンズ２の出光面２ｂの形状が円形状に設定されているが、第４の実施形態のＬＥＤ照明装置１００では、代わりに、仮想平面Ｓ１に投影された導光レンズ２の出光面２ｂのＹ軸方向の幅寸法Ｗ２ｂがＸ軸方向の位置に応じて異なるように、仮想平面Ｓ１に投影された導光レンズ２の出光面２ｂの形状を、例えば多角形形状、楕円形状などのような非円形状に設定することも可能である。
【００５２】
また、第１の実施形態のＬＥＤ照明装置１００では、図２（Ａ）に示すように、ＬＥＤ光源１の発光面の発光中心が導光レンズ２の中心軸線２’上に配置されている。更に、ＬＥＤ光源１の光軸１’と、導光レンズ２の中心軸線２’とが、概略一致せしめられている。第５の実施形態のＬＥＤ照明装置１００では、代わりに、ＬＥＤ光源１の光軸１’と導光レンズ２の中心軸線２’とを一致させないことも可能である。
【００５３】
更に、第１の実施形態のＬＥＤ照明装置１００では、図４に示すように、導光レンズ２（図２（Ａ）参照）の出光面２ｂ（図２（Ａ）参照）からの光が入光するための入光面３ａ１を有する入光部３ａと、導光レンズ３によって導光された光が出光するための出光部３ｂとが、導光レンズ３に形成されている。また、導光レンズ３の入光部３ａの入光面３ａ１からの光を導光レンズ３の出光部３ｂの側に内面反射する反射部３ｃが、導光レンズ３の入光部３ａと出光部３ｂとの間に配置されている。更に、導光レンズ３の出光部３ｂの表面のうち、導光レンズ２の反対側（図２（Ａ）および図４（Ａ）の上側）の部分に出光面３ｂ２が形成されている。
【００５４】
また、第１の実施形態のＬＥＤ照明装置１００では、図４に示すように、導光レンズ３の出光部３ｂの表面のうち、導光レンズ２の側（図２（Ａ）および図４（Ａ）の下側）の部分に反射面３ｂ１が形成されている。更に、Ｙ軸方向に概略平行に延びている稜線３ｂ１ａ１（図４（Ｃ）参照）を有するプリズムカット３ｂ１ａ（図４（Ｃ）参照）が、導光レンズ３の出光部３ｂの反射面３ｂ１に形成されている。
【００５５】
更に、第１の実施形態のＬＥＤ照明装置１００では、図２（Ａ）に示すように、Ｙ軸方向に垂直な仮想平面Ｓ２（図１（Ａ）参照）内における導光レンズ３の断面形状が、反射部３ｃの位置で屈曲した概略Ｌ字状になるように、導光レンズ３が形成されている。また、図４に示すように、仮想平面Ｓ２内における導光レンズ３の断面形状（つまり、図２（Ａ）に示す導光レンズ３の断面形状）をＹ軸方向にスイープすることにより得られる概略押し出し形状に、導光レンズ３が形成されている。
【００５６】
第１の実施形態のＬＥＤ照明装置１００では、図４に示すように、導光レンズ３の入光部３ａが凸状の入光面３ａ１によって構成されているが、第６の実施形態のＬＥＤ照明装置１００では、代わりに、平面状の面によって導光レンズ３の入光部３ａを構成したり、凹状の面によって導光レンズ３の入光部３ａを構成したり、凸状の面、凹状の面および平面状の面の任意の組み合わせによって導光レンズ３の入光部３ａを構成したりすることも可能である。
【００５７】
第１の実施形態のＬＥＤ照明装置１００では、図４に示すように、導光レンズ３の反射部３ｃからの光が、直接、あるいは、導光レンズ３の出光部３ｂの反射面３ｂ１および／または出光面３ｂ２による反射を経て、導光レンズ３の出光部３ｂの反射面３ｂ１のプリズムカット３ｂ１ａ（図４（Ｃ）参照）の全体に到達するように、互いに角度をなす２個の平面形状の反射面３ｃ１，３ｃ２が導光レンズ３の反射部３ｃに形成されている。第７の実施形態のＬＥＤ照明装置１００では、代わりに、導光レンズ３の反射部３ｃからの光が、直接、あるいは、導光レンズ３の出光部３ｂの反射面３ｂ１および／または出光面３ｂ２による反射を経て、導光レンズ３の出光部３ｂの反射面３ｂ１のプリズムカット３ｂ１ａ（図４（Ｃ）参照）の全体に到達するように、任意の個数および任意の形状の反射面を導光レンズ３の反射部３ｃに形成することも可能である。
【００５８】
また、第１の実施形態のＬＥＤ照明装置１００では、導光レンズ３（図２（Ａ）参照）の入光部３ａ（図２（Ａ）参照）の入光面３ａ１（図４および図５参照）がＸ軸方向の位置Ｘ３（図５参照）に位置する時（つまり、図１および図２に示す状態の時）に、導光レンズ２（図２（Ａ）参照）の出光面２ｂ（図２（Ａ）および図５参照）のうち、図５中のハッチング部分から出光するＺ軸に平行な光が、導光レンズ３の入光部３ａの入光面３ａ１を介して導光レンズ３に入光する。
【００５９】
詳細には、第１の実施形態のＬＥＤ照明装置１００では、導光レンズ３（図２（Ａ）参照）の入光部３ａ（図２（Ａ）参照）の入光面３ａ１（図４および図５参照）がＸ軸方向の位置Ｘ３（図５参照）に位置する時（つまり、図１および図２に示す状態の時）に、図６に示すように、例えば、ＬＥＤ光源１の発光面の発光中心から照射され、導光レンズ２の入光面２ａおよび出光面２ｂを透過し、仮想平面Ｓ１内の位置Ｐ１（図５参照）を透過した光が、導光レンズ３の入光部３ａの入光面３ａ１を透過し、導光レンズ３の反射部３ｃの反射面３ｃ１によって内面反射され、導光レンズ３の出光部３ｂの出光面３ｂ２によって内面反射され、導光レンズ３の出光部３ｂの反射面３ｂ１のプリズムカット３ｂ１ａ（図４（Ｃ）参照）によって内面反射され、導光レンズ３の出光部３ｂの出光面３ｂ２を透過し、透過光Ｌ１となって、導光レンズ３の出光部３ｂの出光面３ｂ２に対向する観察位置ＶＰに到達する。
【００６０】
更に、第１の実施形態のＬＥＤ照明装置１００では、導光レンズ３（図２（Ａ）参照）の入光部３ａ（図２（Ａ）参照）の入光面３ａ１（図４および図５参照）がＸ軸方向の位置Ｘ３（図５参照）に位置する時（つまり、図１および図２に示す状態の時）に、図７に示すように、例えば、ＬＥＤ光源１の発光面の発光中心から照射され、導光レンズ２の入光面２ａおよび出光面２ｂを透過し、仮想平面Ｓ１内の位置Ｐ２（図５参照）を透過した光が、導光レンズ３の入光部３ａの入光面３ａ１を透過し、導光レンズ３の反射部３ｃの反射面３ｃ１によって内面反射され、導光レンズ３の出光部３ｂの出光面３ｂ２によって内面反射され、導光レンズ３の出光部３ｂの反射面３ｂ１のプリズムカット３ｂ１ａ（図４（Ｃ）参照）によって内面反射され、導光レンズ３の出光部３ｂの出光面３ｂ２によって内面反射され、導光レンズ３の出光部３ｂの反射面３ｂ１のプリズムカット３ｂ１ａ（図４（Ｃ）参照）によって内面反射され、導光レンズ３の出光部３ｂの出光面３ｂ２によって内面反射され、導光レンズ３の出光部３ｂの反射面３ｂ１のプリズムカット３ｂ１ａ（図４（Ｃ）参照）によって内面反射され、導光レンズ３の出光部３ｂの出光面３ｂ２によって内面反射され、導光レンズ３の出光部３ｂの反射面３ｂ１のプリズムカット３ｂ１ａ（図４（Ｃ）参照）によって内面反射され、導光レンズ３の出光部３ｂの出光面３ｂ２を透過し、透過光Ｌ２となって、導光レンズ３の出光部３ｂの出光面３ｂ２に対向する観察位置ＶＰに到達する。
【００６１】
また、第１の実施形態のＬＥＤ照明装置１００では、導光レンズ３（図２（Ａ）参照）の入光部３ａ（図２（Ａ）参照）の入光面３ａ１（図４および図５参照）がＸ軸方向の位置Ｘ３（図５参照）に位置する時（つまり、図１および図２に示す状態の時）に、図８に示すように、例えば、ＬＥＤ光源１の発光面の発光中心から照射され、導光レンズ２の入光面２ａおよび出光面２ｂを透過し、仮想平面Ｓ１内の位置Ｐ３（図５参照）を透過した光が、導光レンズ３の入光部３ａの入光面３ａ１を透過し、導光レンズ３の反射部３ｃの反射面３ｃ１によって内面反射され、導光レンズ３の出光部３ｂの出光面３ｂ２によって内面反射され、導光レンズ３の出光部３ｂの反射面３ｂ１のプリズムカット３ｂ１ａ（図４（Ｃ）参照）によって内面反射され、導光レンズ３の出光部３ｂの出光面３ｂ２によって内面反射され、導光レンズ３の出光部３ｂの反射面３ｂ１のプリズムカット３ｂ１ａ（図４（Ｃ）参照）によって内面反射され、導光レンズ３の出光部３ｂの出光面３ｂ２によって内面反射され、導光レンズ３の出光部３ｂの反射面３ｂ１のプリズムカット３ｂ１ａ（図４（Ｃ）参照）によって内面反射され、導光レンズ３の出光部３ｂの出光面３ｂ２を透過し、透過光Ｌ３となって、導光レンズ３の出光部３ｂの出光面３ｂ２に対向する観察位置ＶＰに到達する。
【００６２】
更に、第１の実施形態のＬＥＤ照明装置１００では、導光レンズ３（図２（Ａ）参照）の入光部３ａ（図２（Ａ）参照）の入光面３ａ１（図４および図５参照）がＸ軸方向の位置Ｘ３（図５参照）に位置する時（つまり、図１および図２に示す状態の時）に、図９に示すように、例えば、ＬＥＤ光源１の発光面の発光中心から照射され、導光レンズ２の入光面２ａおよび出光面２ｂを透過し、仮想平面Ｓ１内の位置Ｐ４（図５参照）を透過した光が、導光レンズ３の入光部３ａの入光面３ａ１を透過し、導光レンズ３の反射部３ｃの反射面３ｃ１によって内面反射され、導光レンズ３の出光部３ｂの出光面３ｂ２によって内面反射され、導光レンズ３の出光部３ｂの反射面３ｂ１のプリズムカット３ｂ１ａ（図４（Ｃ）参照）によって内面反射され、導光レンズ３の出光部３ｂの出光面３ｂ２を透過し、透過光Ｌ４となって、導光レンズ３の出光部３ｂの出光面３ｂ２に対向する観察位置ＶＰに到達する。
【００６３】
また、第１の実施形態のＬＥＤ照明装置１００では、導光レンズ３（図２（Ａ）参照）の入光部３ａ（図２（Ａ）参照）の入光面３ａ１（図４および図５参照）がＸ軸方向の位置Ｘ３（図５参照）に位置する時（つまり、図１および図２に示す状態の時）に、図１０に示すように、例えば、ＬＥＤ光源１の発光面の発光中心から照射され、導光レンズ２の入光面２ａおよび出光面２ｂを透過し、仮想平面Ｓ１内の位置Ｐ５（図５参照）を透過した光が、導光レンズ３の入光部３ａの入光面３ａ１を透過し、導光レンズ３の反射部３ｃの反射面３ｃ２によって内面反射され、導光レンズ３の出光部３ｂの出光面３ｂ２によって内面反射され、導光レンズ３の出光部３ｂの反射面３ｂ１のプリズムカット３ｂ１ａ（図４（Ｃ）参照）によって内面反射され、導光レンズ３の出光部３ｂの出光面３ｂ２を透過し、透過光Ｌ５となって、導光レンズ３の出光部３ｂの出光面３ｂ２に対向する観察位置ＶＰに到達する。
【００６４】
更に、第１の実施形態のＬＥＤ照明装置１００では、導光レンズ３（図２（Ａ）参照）の入光部３ａ（図２（Ａ）参照）の入光面３ａ１（図４および図５参照）がＸ軸方向の位置Ｘ３（図５参照）に位置する時（つまり、図１および図２に示す状態の時）に、図１１に示すように、例えば、ＬＥＤ光源１の発光面の発光中心から照射され、導光レンズ２の入光面２ａおよび出光面２ｂを透過し、仮想平面Ｓ１内の位置Ｐ６（図５参照）を透過した光が、導光レンズ３の入光部３ａの入光面３ａ１を透過し、導光レンズ３の反射部３ｃの反射面３ｃ２によって内面反射され、導光レンズ３の出光部３ｂの出光面３ｂ２によって内面反射され、導光レンズ３の出光部３ｂの反射面３ｂ１のプリズムカット３ｂ１ａ（図４（Ｃ）参照）によって内面反射され、導光レンズ３の出光部３ｂの出光面３ｂ２によって内面反射され、導光レンズ３の出光部３ｂの反射面３ｂ１のプリズムカット３ｂ１ａ（図４（Ｃ）参照）によって内面反射され、導光レンズ３の出光部３ｂの出光面３ｂ２を透過し、透過光Ｌ６となって、導光レンズ３の出光部３ｂの出光面３ｂ２に対向する観察位置ＶＰに到達する。
【００６５】
また、第１の実施形態のＬＥＤ照明装置１００では、導光レンズ３（図２（Ａ）参照）の入光部３ａ（図２（Ａ）参照）の入光面３ａ１（図４および図５参照）がＸ軸方向の位置Ｘ３（図５参照）に位置する時（つまり、図１および図２に示す状態の時）に、図１２に示すように、例えば、ＬＥＤ光源１の発光面の発光中心から照射され、導光レンズ２の入光面２ａおよび出光面２ｂを透過し、仮想平面Ｓ１内の位置Ｐ７（図５参照）を透過した光が、導光レンズ３の入光部３ａの入光面３ａ１を透過し、導光レンズ３の反射部３ｃの反射面３ｃ２によって内面反射され、導光レンズ３の出光部３ｂの出光面３ｂ２によって内面反射され、導光レンズ３の出光部３ｂの反射面３ｂ１のプリズムカット３ｂ１ａ（図４（Ｃ）参照）によって内面反射され、導光レンズ３の出光部３ｂの出光面３ｂ２によって内面反射され、導光レンズ３の出光部３ｂの反射面３ｂ１のプリズムカット３ｂ１ａ（図４（Ｃ）参照）によって内面反射され、導光レンズ３の出光部３ｂの出光面３ｂ２を透過し、透過光Ｌ７となって、導光レンズ３の出光部３ｂの出光面３ｂ２に対向する観察位置ＶＰに到達する。
【００６６】
その結果、第１の実施形態のＬＥＤ照明装置１００では、導光レンズ３（図２（Ａ）参照）の入光部３ａ（図２（Ａ）参照）の入光面３ａ１（図４および図５参照）がＸ軸方向の位置Ｘ３（図５参照）に位置する時（つまり、図１および図２に示す状態の時）に、図１３（Ａ）に示すように、ＬＥＤ光源１（図２（Ａ）参照）から照射され、導光レンズ２の入光面２ａ（図２（Ａ）参照）および出光面２ｂを透過し、仮想平面Ｓ１（図５参照）と仮想平面Ｓ２（図５参照）との交線上を透過し、導光レンズ３の入光部３ａの入光面３ａ１を透過し、導光レンズ３によって導光され、導光レンズ３の出光部３ｂの出光面３ｂ２を透過した光Ｌ１，Ｌ２，Ｌ３，Ｌ４，Ｌ５，Ｌ６，Ｌ７（図６〜図１２参照），…によって、導光レンズ３の出光部３ｂの出光面３ｂ２に輝線ＢＬ１が形成される。
【００６７】
同様に、第１の実施形態のＬＥＤ照明装置１００では、導光レンズ３（図２（Ａ）参照）の入光部３ａ（図２（Ａ）参照）の入光面３ａ１（図４および図５参照）がＸ軸方向の位置Ｘ３（図５参照）に位置する時（つまり、図１および図２に示す状態の時）に、図１３（Ａ）に示すように、ＬＥＤ光源１（図２（Ａ）参照）から照射され、導光レンズ２の入光面２ａ（図２（Ａ）参照）および出光面２ｂを透過し、仮想平面Ｓ１（図５参照）内の直線ａｂ（図５参照）上を透過し、導光レンズ３の入光部３ａの入光面３ａ１を透過し、導光レンズ３によって導光され、導光レンズ３の出光部３ｂの出光面３ｂ２を透過した光によって、導光レンズ３の出光部３ｂの出光面３ｂ２に輝線ＢＬ２が形成される。
線ＢＬ１が形成される。
【００６８】
また、第１の実施形態のＬＥＤ照明装置１００では、導光レンズ３（図２（Ａ）参照）の入光部３ａ（図２（Ａ）参照）の入光面３ａ１（図４および図５参照）がＸ軸方向の位置Ｘ３（図５参照）に位置する時（つまり、図１および図２に示す状態の時）に、図１３（Ａ）に示すように、ＬＥＤ光源１（図２（Ａ）参照）から照射され、導光レンズ２の入光面２ａ（図２（Ａ）参照）および出光面２ｂを透過し、仮想平面Ｓ１（図５参照）内の直線ｃｄ（図５参照）上を透過し、導光レンズ３の入光部３ａの入光面３ａ１を透過し、導光レンズ３によって導光され、導光レンズ３の出光部３ｂの出光面３ｂ２を透過した光によって、導光レンズ３の出光部３ｂの出光面３ｂ２に輝線ＢＬ３が形成される。
【００６９】
すなわち、第１の実施形態のＬＥＤ照明装置１００では、導光レンズ３（図２（Ａ）参照）の入光部３ａ（図２（Ａ）参照）の入光面３ａ１（図４および図５参照）がＸ軸方向の位置Ｘ３（図５参照）に位置する時（つまり、図１および図２に示す状態の時）に、導光レンズ３の出光部３ｂ（図２（Ａ）参照）の出光面３ｂ２（図２（Ａ）参照）に対向する観察位置ＶＰ（図６参照）から導光レンズ３の出光部３ｂの出光面３ｂ２を見ると、図１３（Ｂ）に示すように、ＬＥＤ光源１（図２（Ａ）参照）から照射され、導光レンズ２の入光面２ａ（図２（Ａ）参照）を透過し、導光レンズ２の出光面２ｂを透過し、導光レンズ３の入光部３ａ（図２（Ａ）参照）の入光面３ａ１（図２（Ａ）参照）を透過し、導光レンズ３の反射部３ｃによって内面反射され、導光レンズ３の出光部３ｂの反射面３ｂ１（図４参照）のプリズムカット３ｂ１ａ（図４（Ｃ）参照）によって内面反射され、導光レンズ３の出光部３ｂの出光面３ｂ２を透過した光Ｌ１，Ｌ２，Ｌ３，Ｌ４，Ｌ５，Ｌ６，Ｌ７（図６〜図１２参照），…によって、Ｘ軸方向に概略平行に延びている輝帯ＢＢ（Ｘ３）が、導光レンズ３の出光部３ｂの出光面３ｂ２に形成される。
【００７０】
詳細には、第１の実施形態のＬＥＤ照明装置１００では、導光レンズ３（図２（Ａ）参照）の入光部３ａ（図２（Ａ）参照）の入光面３ａ１（図４および図５参照）がＸ軸方向の位置Ｘ３（図５参照）に位置する時（つまり、図１および図２に示す状態の時）に、導光レンズ３の出光部３ｂ（図１３（Ｂ）参照）の出光面３ｂ２（図１３（Ｂ）参照）に形成される輝帯ＢＢ（Ｘ３）（図１３（Ｂ）参照）のＹ軸方向の幅寸法ＷＢＢ（Ｘ３）（図１３（Ｂ）参照）が、Ｘ軸方向の位置Ｘ３（図５参照）における導光レンズ２（図２（Ａ）参照）の出光面２ｂ（図２（Ａ）参照）のＹ軸方向の幅寸法Ｗ２ｂ（Ｘ３）（図３（Ｂ）参照）に概略等しくなる。
【００７１】
具体的には、第１の実施形態のＬＥＤ照明装置１００では、図１４に示すように、導光レンズ３の入光部３ａ（図２（Ａ）参照）の入光面３ａ１（図４および図１４（Ａ）参照）がＸ軸方向の位置Ｘ１（図１４（Ａ）参照）に位置する時（つまり、図１４に示す状態の時）に、Ｘ軸方向の位置Ｘ１（図１４（Ａ）参照）における導光レンズ２（図２（Ａ）参照）の出光面２ｂ（図２（Ａ）および図１４（Ａ）参照）のＹ軸方向の幅寸法Ｗ２ｂがゼロになる。その結果、図１４に示す状態の時には、輝帯が導光レンズ３の出光部３ｂの出光面３ｂ２に形成されない。
【００７２】
次いで、第１の実施形態のＬＥＤ照明装置１００では、図１５に示すように、導光レンズ３がＬＥＤ光源１（図２（Ａ）参照）および導光レンズ２に対してＸ軸方向の例えばマイナス側（図１５の左側）に移動せしめられ、導光レンズ３の入光部３ａ（図２（Ａ）参照）の入光面３ａ１（図４および図１５（Ａ）参照）がＸ軸方向の位置Ｘ２（図１５（Ａ）参照）に位置する時（つまり、図１５に示す状態の時）に、導光レンズ２の出光面２ｂ（図１５（Ａ）参照）のうち、導光レンズ３の入光部３ａの入光面３ａ１（図１５（Ａ）参照）に対向する領域ＡＲ（Ｘ２）（図１５（Ａ）参照）から出光する光が、導光レンズ３の入光部３ａの入光面３ａ１を介して導光レンズ３に入光し、導光レンズ３によって導光される。その結果、図１５に示す状態の時には、Ｘ軸方向の位置Ｘ２（図１５（Ａ）参照）における導光レンズ２の出光面２ｂ（図１５（Ａ）参照）のＹ軸方向の幅寸法Ｗ２ｂ（Ｘ２）（図３（Ｂ）参照）に概略等しいＹ軸方向の幅寸法ＷＢＢ（Ｘ２）（図１５（Ｂ）参照）を有する輝帯ＢＢ（Ｘ２）（図１５（Ｂ）参照）が、導光レンズ３の出光部３ｂの出光面３ｂ２に形成される。
【００７３】
次いで、第１の実施形態のＬＥＤ照明装置１００では、図５および図１３（Ｂ）に示すように、導光レンズ３がＬＥＤ光源１（図２（Ａ）参照）および導光レンズ２に対してＸ軸方向のマイナス側（図５および図１３（Ｂ）の左側）に更に移動せしめられ、導光レンズ３の入光部３ａ（図２（Ａ）参照）の入光面３ａ１（図４および図５参照）がＸ軸方向の位置Ｘ３（図５参照）に位置する時（つまり、図５および図１３（Ｂ）に示す状態の時）に、導光レンズ２の出光面２ｂ（図５参照）のうち、導光レンズ３の入光部３ａの入光面３ａ１（図５参照）に対向する領域ＡＲ（Ｘ３）（図５参照）から出光する光が、導光レンズ３の入光部３ａの入光面３ａ１を介して導光レンズ３に入光し、導光レンズ３によって導光される。その結果、図５および図１３（Ｂ）に示す状態の時には、Ｘ軸方向の位置Ｘ３（図５参照）における導光レンズ２の出光面２ｂ（図５参照）のＹ軸方向の幅寸法Ｗ２ｂ（Ｘ３）（図３（Ｂ）参照）に概略等しいＹ軸方向の幅寸法ＷＢＢ（Ｘ３）（図１３（Ｂ）参照）を有する輝帯ＢＢ（Ｘ３）（図１３（Ｂ）参照）が、導光レンズ３の出光部３ｂの出光面３ｂ２に形成される。
【００７４】
詳細には、第１の実施形態のＬＥＤ照明装置１００では、導光レンズ３（図２（Ａ）参照）の入光部３ａ（図２（Ａ）参照）の入光面３ａ１（図４および図５参照）がＸ軸方向の位置Ｘ２（図５参照）から位置Ｘ３（図５参照）まで移動する間、導光レンズ２（図２（Ａ）参照）の出光面２ｂ（図５参照）のうち、導光レンズ３の入光部３ａの入光面３ａ１（図５参照）に対向する位置Ｘ２〜Ｘ３のＹ軸方向の幅寸法Ｗ２ｂ（図３（Ｂ）参照）がリニアに増加するのに伴って、導光レンズ３の出光部３ｂ（図１３（Ｂ）参照）の出光面３ｂ２（図１３（Ｂ）参照）に形成される輝帯ＢＢ（図１３（Ｂ）参照）のＹ軸方向の幅寸法ＷＢＢ（図１３（Ｂ）参照）がリニアに増加する。
【００７５】
次いで、第１の実施形態のＬＥＤ照明装置１００では、図１６に示すように、導光レンズ３がＬＥＤ光源１（図２（Ａ）参照）および導光レンズ２（図２（Ａ）参照）に対してＸ軸方向のマイナス側（図１６の左側）に更に移動せしめられ、導光レンズ３の入光部３ａ（図２（Ａ）参照）の入光面３ａ１（図４および図１６（Ａ）参照）がＸ軸方向の位置Ｘ４（図１６（Ａ）参照）に位置する時（つまり、図１６に示す状態の時）に、導光レンズ２の出光面２ｂ（図１６（Ａ）参照）のうち、導光レンズ３の入光部３ａの入光面３ａ１（図１６（Ａ）参照）に対向する領域ＡＲ（Ｘ４）（図１６（Ａ）参照）から出光する光が、導光レンズ３の入光部３ａの入光面３ａ１を介して導光レンズ３に入光し、導光レンズ３によって導光される。その結果、図１６に示す状態の時には、Ｘ軸方向の位置Ｘ４（図１６（Ａ）参照）における導光レンズ２の出光面２ｂ（図１６（Ａ）参照）のＹ軸方向の幅寸法Ｗ２ｂ（Ｘ４）（図３（Ｂ）参照）に概略等しいＹ軸方向の幅寸法ＷＢＢ（Ｘ４）（図１６（Ｂ）参照）を有する輝帯ＢＢ（Ｘ４）（図１６（Ｂ）参照）が、導光レンズ３の出光部３ｂの出光面３ｂ２に形成される。
【００７６】
詳細には、第１の実施形態のＬＥＤ照明装置１００では、導光レンズ３（図２（Ａ）参照）の入光部３ａ（図２（Ａ）参照）の入光面３ａ１（図４および図１６（Ａ）参照）がＸ軸方向の位置Ｘ３（図１６（Ａ）参照）から位置Ｘ４（図１６（Ａ）参照）まで移動する間、導光レンズ２（図２（Ａ）参照）の出光面２ｂ（図１６（Ａ）参照）のうち、導光レンズ３の入光部３ａの入光面３ａ１（図１６（Ａ）参照）に対向する位置Ｘ３〜Ｘ４のＹ軸方向の幅寸法Ｗ２ｂ（図３（Ｂ）参照）がリニアに減少するのに伴って、導光レンズ３の出光部３ｂ（図１６（Ｂ）参照）の出光面３ｂ２（図１６（Ｂ）参照）に形成される輝帯ＢＢ（図１６（Ｂ）参照）のＹ軸方向の幅寸法ＷＢＢ（図１６（Ｂ）参照）がリニアに減少する。
【００７７】
次いで、第１の実施形態のＬＥＤ照明装置１００では、図１７に示すように、導光レンズ３がＬＥＤ光源１（図２（Ａ）参照）および導光レンズ２（図２（Ａ）参照）に対してＸ軸方向のマイナス側（図１７の左側）に更に移動せしめられ、導光レンズ３の入光部３ａ（図２（Ａ）参照）の入光面３ａ１（図４および図１７（Ａ）参照）がＸ軸方向の位置Ｘ５（図１７（Ａ）参照）に位置する時（つまり、図１７に示す状態の時）に、Ｘ軸方向の位置Ｘ５（図１７（Ａ）参照）における導光レンズ２（図２（Ａ）参照）の出光面２ｂ（図２（Ａ）および図１７（Ａ）参照）のＹ軸方向の幅寸法Ｗ２ｂがゼロになる。その結果、図１７に示す状態の時には、輝帯が導光レンズ３の出光部３ｂの出光面３ｂ２に形成されない。
【００７８】
すなわち、第１の実施形態のＬＥＤ照明装置１００では、図１４（Ｂ）、図１５（Ｂ）、図１３（Ｂ）、図１６（Ｂ）および図１７（Ｂ）に示すように、導光レンズ３がＬＥＤ光源１（図２（Ａ）参照）および導光レンズ２に対してＸ軸方向に相対的に移動せしめられる時に、導光レンズ３の出光部３ｂの出光面３ｂ２に対向する観察位置ＶＰ（図６参照）から導光レンズ３の出光部３ｂの出光面３ｂ２を見ると、ＬＥＤ光源１および導光レンズ２に対する導光レンズ３のＸ軸方向の相対的な移動に伴って、導光レンズ３の出光部３ｂの出光面３ｂ２に形成される輝帯ＢＢのＹ軸方向の幅寸法ＷＢＢがリニアに変化する。
【００７９】
以下、本発明のＬＥＤ照明装置の第８の実施形態について説明する。図１８および図１９は第８の実施形態のＬＥＤ照明装置１００を示した図である。詳細には、図１８（Ａ）は第８の実施形態のＬＥＤ照明装置１００の平面図、図１８（Ｂ）は第８の実施形態のＬＥＤ照明装置１００の正面図、図１９（Ａ）は図１８（Ａ）のＣ−Ｃ線に沿った第８の実施形態のＬＥＤ照明装置１００の鉛直断面図、図１９（Ｂ）は図１８（Ａ）のＤ−Ｄ線に沿った第８の実施形態のＬＥＤ照明装置１００の鉛直断面図である。図２０は第８の実施形態のＬＥＤ照明装置１００の一部を構成する導光レンズ２を説明するための図である。詳細には、図２０（Ａ）はＬＥＤ光源１の発光面の発光中心から照射され、図１９（Ａ）に示す断面内を進み、導光レンズ２の入光面２ａ，２ａ’および出光面２ｂを透過する光を示した拡大図である。図２０（Ｂ）は水平な仮想平面Ｓ１（図１９（Ａ）参照）に投影された導光レンズ２（図１９（Ａ）参照）の出光面２ｂ（図１９（Ａ）参照）を示した拡大図である。
【００８０】
図２１は導光レンズ３の入光部３ａ（図４参照）の入光面３ａ１がＸ軸方向の位置Ｘ１に配置されている時の第８の実施形態のＬＥＤ照明装置１００を説明するための図である。図２２は導光レンズ３の入光部３ａ（図４参照）の入光面３ａ１がＸ軸方向の位置Ｘ２に配置されている時の第８の実施形態のＬＥＤ照明装置１００を説明するための図である。図２３は導光レンズ３の入光部３ａ（図４参照）の入光面３ａ１がＸ軸方向の位置Ｘ２ａに配置されている時の第８の実施形態のＬＥＤ照明装置１００を説明するための図である。図２４は導光レンズ３の入光部３ａ（図４参照）の入光面３ａ１がＸ軸方向の位置Ｘ２ｂに配置されている時の第８の実施形態のＬＥＤ照明装置１００を説明するための図である。図２５は導光レンズ３の入光部３ａ（図４参照）の入光面３ａ１がＸ軸方向の位置Ｘ３に配置されている時の第８の実施形態のＬＥＤ照明装置１００を説明するための図である。図２６は導光レンズ３の入光部３ａ（図４参照）の入光面３ａ１がＸ軸方向の位置Ｘ３ａに配置されている時の第８の実施形態のＬＥＤ照明装置１００を説明するための図である。図２７は導光レンズ３の入光部３ａ（図４参照）の入光面３ａ１がＸ軸方向の位置Ｘ３ｂに配置されている時の第８の実施形態のＬＥＤ照明装置１００を説明するための図である。図２８は導光レンズ３の入光部３ａ（図４参照）の入光面３ａ１がＸ軸方向の位置Ｘ４に配置されている時の第８の実施形態のＬＥＤ照明装置１００を説明するための図である。図２９は導光レンズ３の入光部３ａ（図４参照）の入光面３ａ１がＸ軸方向の位置Ｘ５に配置されている時の第８の実施形態のＬＥＤ照明装置１００を説明するための図である。
【００８１】
第８の実施形態のＬＥＤ照明装置１００では、導光レンズ２（図１９（Ａ）および図２０（Ａ）参照）の形状が、第１の実施形態のＬＥＤ照明装置１００の導光レンズ２（図２（Ａ）および図３（Ａ）参照）の形状とは異なっている。第８の実施形態のＬＥＤ照明装置１００の導光レンズ２以外の構成部品は、第１の実施形態のＬＥＤ照明装置１００の導光レンズ２以外の構成部品とほぼ同様に構成されている。
【００８２】
第８の実施形態のＬＥＤ照明装置１００では、図１９（Ａ）および図２０（Ａ）に示すように、ＬＥＤ光源１からの光が入光する入光面２ａ，２ａ’と、導光レンズ２によって導光された光が出光する出光面２ｂとが、導光レンズ２に形成されている。また、図２０（Ａ）に示すように、ＬＥＤ光源１の発光面の発光中心から照射され、導光レンズ２によって導光され、導光レンズ２の出光面２ｂから出光する光がＺ軸方向に平行な光になるように、導光レンズ２が形成されている。
【００８３】
詳細には、第８の実施形態のＬＥＤ照明装置１００では、図２０（Ａ）に示すように、ＬＥＤ光源１の発光面の発光中心から照射された光の一部が、導光レンズ２の入光面２ａを透過してＺ軸方向に平行な光になり、次いで、導光レンズ２の反射面２ｄａによって内面反射されて導光レンズ２の中心軸線２’に垂直な光になり、次いで、導光レンズ２の反射面２ｄｂによって内面反射されてＺ軸方向に平行な光になり、次いで、導光レンズ２の非発光部２ｃの周りの環状の出光面２ｂを素通りし、Ｚ軸方向に平行な光になる。更に、ＬＥＤ光源１の発光面の発光中心から照射された光の他の一部が、導光レンズ２の入光面２ａ’を透過し、次いで、導光レンズ２の反射面２ａ１によって内面反射されてＺ軸方向に平行な光になり、次いで、導光レンズ２の反射面２ｄａによって内面反射されて導光レンズ２の中心軸線２’に垂直な光になり、次いで、導光レンズ２の反射面２ｄｂによって内面反射されてＺ軸方向に平行な光になり、次いで、導光レンズ２の環状の出光面２ｂを素通りし、Ｚ軸方向に平行な光になる。
【００８４】
また、第８の実施形態のＬＥＤ照明装置１００では、図２０（Ｂ）に示すように、導光レンズ２（図２０（Ａ）参照）の出光面２ｂ（図２０（Ａ）参照）から出光する光に垂直（つまり、Ｚ軸に垂直）な仮想平面Ｓ１（図１９（Ａ）参照）に導光レンズ２の出光面２ｂを投影すると、仮想平面Ｓ１に投影された導光レンズ２の出光面２ｂのＹ軸方向の幅寸法Ｗ２ｂ，Ｗ２ｂＦ，Ｗ２ｂＲが、Ｘ軸方向の位置に応じて異なるように、導光レンズ２の出光面２ｂの形状が設定されている。
【００８５】
詳細には、第８の実施形態のＬＥＤ照明装置１００では、図２０に示すように、導光レンズ２が、その中心軸線２’を中心とする回転体形状に形成されている。そのため、第８の実施形態のＬＥＤ照明装置１００では、図２０（Ｂ）に示すように、仮想平面Ｓ１に投影された導光レンズ２（図２０（Ａ）参照）の出光面２ｂの形状が、内周円と、それと同心の外周円とを有する環状になる。図２０（Ｂ）に示す例では、Ｘ軸方向の位置Ｘ１における仮想平面Ｓ１に投影された導光レンズ２の出光面２ｂのＹ軸方向の幅寸法Ｗ２ｂがゼロになると共に、Ｘ軸方向の位置Ｘ５における仮想平面Ｓ１に投影された導光レンズ２の出光面２ｂのＹ軸方向の幅寸法Ｗ２ｂがゼロになる。また、Ｘ軸方向の位置Ｘ２における仮想平面Ｓ１に投影された導光レンズ２の出光面２ｂのＹ軸方向の幅寸法Ｗ２ｂ（Ｘ２）、および、Ｘ軸方向の位置Ｘ４における仮想平面Ｓ１に投影された導光レンズ２の出光面２ｂのＹ軸方向の幅寸法Ｗ２ｂ（Ｘ４）が、Ｘ軸方向の位置Ｘ２ａにおける仮想平面Ｓ１に投影された導光レンズ２の出光面２ｂのＹ軸方向の幅寸法Ｗ２ｂ（Ｘ２ａ）、および、Ｘ軸方向の位置Ｘ３ｂにおける仮想平面Ｓ１に投影された導光レンズ２の出光面２ｂのＹ軸方向の幅寸法Ｗ２ｂ（Ｘ３ｂ）よりも小さくなる。
【００８６】
更に、図２０（Ｂ）に示す例では、Ｘ軸方向の位置Ｘ２ｂにおける仮想平面Ｓ１に投影された導光レンズ２の出光面２ｂの前側（図２０（Ｂ）の下側）部分のＹ軸方向の幅寸法Ｗ２ｂＦ（Ｘ２ｂ）、および、Ｘ軸方向の位置Ｘ３ａにおける仮想平面Ｓ１に投影された導光レンズ２の出光面２ｂの前側（図２０（Ｂ）の下側）部分のＹ軸方向の幅寸法Ｗ２ｂＦ（Ｘ３ａ）が、Ｘ軸方向の位置Ｘ３における仮想平面Ｓ１に投影された導光レンズ２の出光面２ｂの前側（図２０（Ｂ）の下側）部分のＹ軸方向の幅寸法Ｗ２ｂＦ（Ｘ３）よりも大きくなる。同様に、Ｘ軸方向の位置Ｘ２ｂにおける仮想平面Ｓ１に投影された導光レンズ２の出光面２ｂの後側（図２０（Ｂ）の上側）部分のＹ軸方向の幅寸法Ｗ２ｂＲ（Ｘ２ｂ）、および、Ｘ軸方向の位置Ｘ３ａにおける仮想平面Ｓ１に投影された導光レンズ２の出光面２ｂの後側（図２０（Ｂ）の上側）部分のＹ軸方向の幅寸法Ｗ２ｂＲ（Ｘ３ａ）が、Ｘ軸方向の位置Ｘ３における仮想平面Ｓ１に投影された導光レンズ２の出光面２ｂの後側（図２０（Ｂ）の上側）部分のＹ軸方向の幅寸法Ｗ２ｂＲ（Ｘ３）よりも大きくなる。
【００８７】
具体的には、第８の実施形態のＬＥＤ照明装置１００では、図２１に示すように、導光レンズ３の入光部３ａ（図１９（Ａ）参照）の入光面３ａ１（図４および図２１（Ａ）参照）がＸ軸方向の位置Ｘ１（図２１（Ａ）参照）に位置する時（つまり、図２１に示す状態の時）に、Ｘ軸方向の位置Ｘ１（図２１（Ａ）参照）における導光レンズ２（図１９（Ａ）参照）の出光面２ｂ（図１９（Ａ）および図２１（Ａ）参照）のＹ軸方向の幅寸法Ｗ２ｂがゼロになる。その結果、図２１に示す状態の時には、輝帯が導光レンズ３の出光部３ｂの出光面３ｂ２に形成されない。
【００８８】
次いで、第８の実施形態のＬＥＤ照明装置１００では、図２２に示すように、導光レンズ３がＬＥＤ光源１（図１９（Ａ）参照）および導光レンズ２に対してＸ軸方向の例えばマイナス側（図２２の左側）に移動せしめられ、導光レンズ３の入光部３ａ（図１９（Ａ）参照）の入光面３ａ１（図４および図２２（Ａ）参照）がＸ軸方向の位置Ｘ２（図２２（Ａ）参照）に位置する時（つまり、図２２に示す状態の時）に、導光レンズ２の出光面２ｂ（図２２（Ａ）参照）のうち、導光レンズ３の入光部３ａの入光面３ａ１（図２２（Ａ）参照）に対向する領域ＡＲ（Ｘ２）（図２２（Ａ）参照）から出光する光が、導光レンズ３の入光部３ａの入光面３ａ１を介して導光レンズ３に入光し、導光レンズ３によって導光される。その結果、図２２に示す状態の時には、Ｘ軸方向の位置Ｘ２（図２２（Ａ）参照）における導光レンズ２の出光面２ｂ（図２２（Ａ）参照）のＹ軸方向の幅寸法Ｗ２ｂ（Ｘ２）（図２０（Ｂ）参照）に概略等しいＹ軸方向の幅寸法ＷＢＢ１（Ｘ２）（図２２（Ｂ）参照）を有する輝帯ＢＢ１（Ｘ２）（図２２（Ｂ）参照）が、導光レンズ３の出光部３ｂの出光面３ｂ２に形成される。
【００８９】
次いで、第８の実施形態のＬＥＤ照明装置１００では、図２３に示すように、導光レンズ３がＬＥＤ光源１（図１９（Ａ）参照）および導光レンズ２に対してＸ軸方向のマイナス側（図２３の左側）に更に移動せしめられ、導光レンズ３の入光部３ａ（図１９（Ａ）参照）の入光面３ａ１（図４および図２３（Ａ）参照）がＸ軸方向の位置Ｘ２ａ（図２３（Ａ）参照）に位置する時（つまり、図２３に示す状態の時）に、導光レンズ２の出光面２ｂ（図２３（Ａ）参照）のうち、導光レンズ３の入光部３ａの入光面３ａ１（図２３（Ａ）参照）に対向する領域ＡＲ（Ｘ２ａ）（図２３（Ａ）参照）から出光する光が、導光レンズ３の入光部３ａの入光面３ａ１を介して導光レンズ３に入光し、導光レンズ３によって導光される。その結果、図２３に示す状態の時には、Ｘ軸方向の位置Ｘ２ａ（図２３（Ａ）参照）における導光レンズ２の出光面２ｂ（図２３（Ａ）参照）のＹ軸方向の幅寸法Ｗ２ｂ（Ｘ２ａ）（図２０（Ｂ）参照）に概略等しいＹ軸方向の幅寸法ＷＢＢ１（Ｘ２ａ）（図２３（Ｂ）参照）を有する輝帯ＢＢ１（Ｘ２ａ）（図２３（Ｂ）参照）が、導光レンズ３の出光部３ｂの出光面３ｂ２に形成される。
【００９０】
詳細には、第８の実施形態のＬＥＤ照明装置１００では、導光レンズ３（図１９（Ａ）参照）の入光部３ａ（図１９（Ａ）参照）の入光面３ａ１（図４および図２３（Ａ）参照）がＸ軸方向の位置Ｘ２（図２３（Ａ）参照）から位置Ｘ２ａ（図２３（Ａ）参照）まで移動する間、導光レンズ２（図１９（Ａ）参照）の出光面２ｂ（図２３（Ａ）参照）のうち、導光レンズ３の入光部３ａの入光面３ａ１（図２３（Ａ）参照）に対向する位置Ｘ２〜Ｘ２ａのＹ軸方向の幅寸法Ｗ２ｂ（図２０（Ｂ）参照）がリニアに増加するのに伴って、導光レンズ３の出光部３ｂ（図２３（Ｂ）参照）の出光面３ｂ２（図２３（Ｂ）参照）に形成される輝帯ＢＢ１（図２３（Ｂ）参照）のＹ軸方向の幅寸法ＷＢＢ１（図２３（Ｂ）参照）がリニアに増加する。
【００９１】
次いで、第８の実施形態のＬＥＤ照明装置１００では、図２４に示すように、導光レンズ３がＬＥＤ光源１（図１９（Ａ）参照）および導光レンズ２に対してＸ軸方向のマイナス側（図２４の左側）に更に移動せしめられ、導光レンズ３の入光部３ａ（図１９（Ａ）参照）の入光面３ａ１（図４および図２４（Ａ）参照）がＸ軸方向の位置Ｘ２ｂ（図２４（Ａ）参照）に位置する時（つまり、図２４に示す状態の時）に、導光レンズ２の出光面２ｂ（図２４（Ａ）参照）のうち、導光レンズ３の入光部３ａの入光面３ａ１（図２４（Ａ）参照）に対向する領域ＡＲＦ（Ｘ２ｂ），ＡＲＲ（Ｘ２ｂ）（図２４（Ａ）参照）から出光する光が、導光レンズ３の入光部３ａの入光面３ａ１を介して導光レンズ３に入光し、導光レンズ３によって導光される。その結果、図２４に示す状態の時には、Ｘ軸方向の位置Ｘ２ｂ（図２４（Ａ）参照）における導光レンズ２の出光面２ｂ（図２４（Ａ）参照）の前側部分のＹ軸方向の幅寸法Ｗ２ｂＦ（Ｘ２ｂ）（図２０（Ｂ）参照）に概略等しいＹ軸方向の幅寸法ＷＢＢ２（Ｘ２ｂ）（図２４（Ｂ）参照）を有する輝帯ＢＢ２（Ｘ２ｂ）（図２４（Ｂ）参照）が、導光レンズ３の出光部３ｂの出光面３ｂ２に形成されると共に、Ｘ軸方向の位置Ｘ２ｂ（図２４（Ａ）参照）における導光レンズ２の出光面２ｂ（図２４（Ａ）参照）の後側部分のＹ軸方向の幅寸法Ｗ２ｂＲ（Ｘ２ｂ）（図２０（Ｂ）参照）に概略等しいＹ軸方向の幅寸法ＷＢＢ３（Ｘ２ｂ）（図２４（Ｂ）参照）を有する輝帯ＢＢ３（Ｘ２ｂ）（図２４（Ｂ）参照）が、導光レンズ３の出光部３ｂの出光面３ｂ２に形成される。
【００９２】
次いで、第８の実施形態のＬＥＤ照明装置１００では、図２５に示すように、導光レンズ３がＬＥＤ光源１（図１９（Ａ）参照）および導光レンズ２に対してＸ軸方向のマイナス側（図２５の左側）に更に移動せしめられ、導光レンズ３の入光部３ａ（図１９（Ａ）参照）の入光面３ａ１（図４および図２５（Ａ）参照）がＸ軸方向の位置Ｘ３（図２５（Ａ）参照）に位置する時（つまり、図２５に示す状態の時）に、導光レンズ２の出光面２ｂ（図２５（Ａ）参照）のうち、導光レンズ３の入光部３ａの入光面３ａ１（図２５（Ａ）参照）に対向する領域ＡＲＦ（Ｘ３），ＡＲＲ（Ｘ３）（図２５（Ａ）参照）から出光する光が、導光レンズ３の入光部３ａの入光面３ａ１を介して導光レンズ３に入光し、導光レンズ３によって導光される。その結果、図２５に示す状態の時には、Ｘ軸方向の位置Ｘ３（図２５（Ａ）参照）における導光レンズ２の出光面２ｂ（図２５（Ａ）参照）の前側部分のＹ軸方向の幅寸法Ｗ２ｂＦ（Ｘ３）（図２０（Ｂ）参照）に概略等しいＹ軸方向の幅寸法ＷＢＢ２（Ｘ３）（図２５（Ｂ）参照）を有する輝帯ＢＢ２（Ｘ３）（図２５（Ｂ）参照）が、導光レンズ３の出光部３ｂの出光面３ｂ２に形成されると共に、Ｘ軸方向の位置Ｘ３（図２５（Ａ）参照）における導光レンズ２の出光面２ｂ（図２５（Ａ）参照）の後側部分のＹ軸方向の幅寸法Ｗ２ｂＲ（Ｘ３）（図２０（Ｂ）参照）に概略等しいＹ軸方向の幅寸法ＷＢＢ３（Ｘ３）（図２５（Ｂ）参照）を有する輝帯ＢＢ３（Ｘ３）（図２５（Ｂ）参照）が、導光レンズ３の出光部３ｂの出光面３ｂ２に形成される。
【００９３】
詳細には、第８の実施形態のＬＥＤ照明装置１００では、導光レンズ３（図１９（Ａ）参照）の入光部３ａ（図１９（Ａ）参照）の入光面３ａ１（図４および図２５（Ａ）参照）がＸ軸方向の位置Ｘ２ｂ（図２５（Ａ）参照）から位置Ｘ３（図２５（Ａ）参照）まで移動する間、導光レンズ２（図１９（Ａ）参照）の出光面２ｂ（図２５（Ａ）参照）のうち、導光レンズ３の入光部３ａの入光面３ａ１（図２５（Ａ）参照）に対向する位置Ｘ２ｂ〜Ｘ３のＹ軸方向の幅寸法Ｗ２ｂＦ，Ｗ２ｂＲ（図２０（Ｂ）参照）がリニアに減少するのに伴って、導光レンズ３の出光部３ｂ（図２５（Ｂ）参照）の出光面３ｂ２（図２５（Ｂ）参照）に形成される輝帯ＢＢ２，ＢＢ３（図２５（Ｂ）参照）のＹ軸方向の幅寸法ＷＢＢ２，ＷＢＢ３（図２５（Ｂ）参照）がリニアに減少する。
【００９４】
次いで、第８の実施形態のＬＥＤ照明装置１００では、図２６に示すように、導光レンズ３がＬＥＤ光源１（図１９（Ａ）参照）および導光レンズ２に対してＸ軸方向のマイナス側（図２６の左側）に更に移動せしめられ、導光レンズ３の入光部３ａ（図１９（Ａ）参照）の入光面３ａ１（図４および図２６（Ａ）参照）がＸ軸方向の位置Ｘ３ａ（図２６（Ａ）参照）に位置する時（つまり、図２６に示す状態の時）に、導光レンズ２の出光面２ｂ（図２６（Ａ）参照）のうち、導光レンズ３の入光部３ａの入光面３ａ１（図２６（Ａ）参照）に対向する領域ＡＲＦ（Ｘ３ａ），ＡＲＲ（Ｘ３ａ）（図２６（Ａ）参照）から出光する光が、導光レンズ３の入光部３ａの入光面３ａ１を介して導光レンズ３に入光し、導光レンズ３によって導光される。その結果、図２６に示す状態の時には、Ｘ軸方向の位置Ｘ３ａ（図２６（Ａ）参照）における導光レンズ２の出光面２ｂ（図２６（Ａ）参照）の前側部分のＹ軸方向の幅寸法Ｗ２ｂＦ（Ｘ３ａ）（図２０（Ｂ）参照）に概略等しいＹ軸方向の幅寸法ＷＢＢ２（Ｘ３ａ）（図２６（Ｂ）参照）を有する輝帯ＢＢ２（Ｘ３ａ）（図２６（Ｂ）参照）が、導光レンズ３の出光部３ｂの出光面３ｂ２に形成されると共に、Ｘ軸方向の位置Ｘ３ａ（図２６（Ａ）参照）における導光レンズ２の出光面２ｂ（図２６（Ａ）参照）の後側部分のＹ軸方向の幅寸法Ｗ２ｂＲ（Ｘ３ａ）（図２０（Ｂ）参照）に概略等しいＹ軸方向の幅寸法ＷＢＢ３（Ｘ３ａ）（図２６（Ｂ）参照）を有する輝帯ＢＢ３（Ｘ３ａ）（図２６（Ｂ）参照）が、導光レンズ３の出光部３ｂの出光面３ｂ２に形成される。
【００９５】
詳細には、第８の実施形態のＬＥＤ照明装置１００では、導光レンズ３（図１９（Ａ）参照）の入光部３ａ（図１９（Ａ）参照）の入光面３ａ１（図４および図２６（Ａ）参照）がＸ軸方向の位置Ｘ３（図２６（Ａ）参照）から位置Ｘ３ａ（図２６（Ａ）参照）まで移動する間、導光レンズ２（図１９（Ａ）参照）の出光面２ｂ（図２６（Ａ）参照）のうち、導光レンズ３の入光部３ａの入光面３ａ１（図２６（Ａ）参照）に対向する位置Ｘ３〜Ｘ３ａのＹ軸方向の幅寸法Ｗ２ｂＦ，Ｗ２ｂＲ（図２０（Ｂ）参照）がリニアに増加するのに伴って、導光レンズ３の出光部３ｂ（図２６（Ｂ）参照）の出光面３ｂ２（図２６（Ｂ）参照）に形成される輝帯ＢＢ２，ＢＢ３（図２６（Ｂ）参照）のＹ軸方向の幅寸法ＷＢＢ２，ＷＢＢ３（図２６（Ｂ）参照）がリニアに増加する。
【００９６】
次いで、第８の実施形態のＬＥＤ照明装置１００では、図２７に示すように、導光レンズ３がＬＥＤ光源１（図１９（Ａ）参照）および導光レンズ２に対してＸ軸方向のマイナス側（図２７の左側）に更に移動せしめられ、導光レンズ３の入光部３ａ（図１９（Ａ）参照）の入光面３ａ１（図４および図２７（Ａ）参照）がＸ軸方向の位置Ｘ３ｂ（図２７（Ａ）参照）に位置する時（つまり、図２７に示す状態の時）に、導光レンズ２の出光面２ｂ（図２７（Ａ）参照）のうち、導光レンズ３の入光部３ａの入光面３ａ１（図２７（Ａ）参照）に対向する領域ＡＲ（Ｘ３ｂ）（図２７（Ａ）参照）から出光する光が、導光レンズ３の入光部３ａの入光面３ａ１を介して導光レンズ３に入光し、導光レンズ３によって導光される。その結果、図２７に示す状態の時には、Ｘ軸方向の位置Ｘ３ｂ（図２７（Ａ）参照）における導光レンズ２の出光面２ｂ（図２７（Ａ）参照）のＹ軸方向の幅寸法Ｗ２ｂ（Ｘ３ｂ）（図２０（Ｂ）参照）に概略等しいＹ軸方向の幅寸法ＷＢＢ４（Ｘ３ｂ）（図２７（Ｂ）参照）を有する輝帯ＢＢ４（Ｘ３ｂ）（図２７（Ｂ）参照）が、導光レンズ３の出光部３ｂの出光面３ｂ２に形成される。
【００９７】
次いで、第８の実施形態のＬＥＤ照明装置１００では、図２８に示すように、導光レンズ３がＬＥＤ光源１（図１９（Ａ）参照）および導光レンズ２（図１９（Ａ）参照）に対してＸ軸方向のマイナス側（図２８の左側）に更に移動せしめられ、導光レンズ３の入光部３ａ（図１９（Ａ）参照）の入光面３ａ１（図４および図２８（Ａ）参照）がＸ軸方向の位置Ｘ４（図２８（Ａ）参照）に位置する時（つまり、図２８に示す状態の時）に、導光レンズ２の出光面２ｂ（図２８（Ａ）参照）のうち、導光レンズ３の入光部３ａの入光面３ａ１（図２８（Ａ）参照）に対向する領域ＡＲ（Ｘ４）（図２８（Ａ）参照）から出光する光が、導光レンズ３の入光部３ａの入光面３ａ１を介して導光レンズ３に入光し、導光レンズ３によって導光される。その結果、図２８に示す状態の時には、Ｘ軸方向の位置Ｘ４（図２８（Ａ）参照）における導光レンズ２の出光面２ｂ（図２８（Ａ）参照）のＹ軸方向の幅寸法Ｗ２ｂ（Ｘ４）（図２０（Ｂ）参照）に概略等しいＹ軸方向の幅寸法ＷＢＢ４（Ｘ４）（図２８（Ｂ）参照）を有する輝帯ＢＢ４（Ｘ４）（図２８（Ｂ）参照）が、導光レンズ３の出光部３ｂの出光面３ｂ２に形成される。
【００９８】
詳細には、第８の実施形態のＬＥＤ照明装置１００では、導光レンズ３（図１９（Ａ）参照）の入光部３ａ（図１９（Ａ）参照）の入光面３ａ１（図４および図２８（Ａ）参照）がＸ軸方向の位置Ｘ３ｂ（図２８（Ａ）参照）から位置Ｘ４（図２８（Ａ）参照）まで移動する間、導光レンズ２（図１９（Ａ）参照）の出光面２ｂ（図２８（Ａ）参照）のうち、導光レンズ３の入光部３ａの入光面３ａ１（図２８（Ａ）参照）に対向する位置Ｘ３ｂ〜Ｘ４のＹ軸方向の幅寸法Ｗ２ｂ（図２０（Ｂ）参照）がリニアに減少するのに伴って、導光レンズ３の出光部３ｂ（図２８（Ｂ）参照）の出光面３ｂ２（図２８（Ｂ）参照）に形成される輝帯ＢＢ４（図２８（Ｂ）参照）のＹ軸方向の幅寸法ＷＢＢ４（図２８（Ｂ）参照）がリニアに減少する。
【００９９】
次いで、第８の実施形態のＬＥＤ照明装置１００では、図２９に示すように、導光レンズ３がＬＥＤ光源１（図１９（Ａ）参照）および導光レンズ２（図１９（Ａ）参照）に対してＸ軸方向のマイナス側（図２９の左側）に更に移動せしめられ、導光レンズ３の入光部３ａ（図１９（Ａ）参照）の入光面３ａ１（図４および図２９（Ａ）参照）がＸ軸方向の位置Ｘ５（図２９（Ａ）参照）に位置する時（つまり、図２９に示す状態の時）に、Ｘ軸方向の位置Ｘ５（図２９（Ａ）参照）における導光レンズ２（図１９（Ａ）参照）の出光面２ｂ（図１９（Ａ）および図２９（Ａ）参照）のＹ軸方向の幅寸法Ｗ２ｂがゼロになる。その結果、図２９に示す状態の時には、輝帯が導光レンズ３の出光部３ｂの出光面３ｂ２に形成されない。
【０１００】
すなわち、第８の実施形態のＬＥＤ照明装置１００では、図２２（Ｂ）および図２３（Ｂ）に示すように、導光レンズ３がＬＥＤ光源１（図１９（Ａ）参照）および導光レンズ２に対してＸ軸方向に相対的に移動せしめられる時に、導光レンズ３の出光部３ｂの出光面３ｂ２に対向する観察位置ＶＰ（図６参照）から導光レンズ３の出光部３ｂの出光面３ｂ２を見ると、ＬＥＤ光源１および導光レンズ２に対する導光レンズ３のＸ軸方向の相対的な移動に伴って、まず最初に、１本の輝帯ＢＢ１が導光レンズ３の出光部３ｂの出光面３ｂ２に形成されると共に、その輝帯ＢＢ１のＹ軸方向の幅寸法ＷＢＢ１がリニアに増加する。次いで、図２４（Ｂ）および図２５（Ｂ）に示すように、ＬＥＤ光源１および導光レンズ２に対する導光レンズ３のＸ軸方向の相対的な更なる移動に伴って、２本の輝帯ＢＢ２，ＢＢ３が導光レンズ３の出光部３ｂの出光面３ｂ２に形成されると共に、それらの輝帯ＢＢ２，ＢＢ３のＹ軸方向の幅寸法ＷＢＢ２，ＷＢＢ３がリニアに減少し、かつ、それらの輝帯ＢＢ２，ＢＢ３の間隔ＤＴ２３がリニアに増加する。次いで、図２５（Ｂ）および図２６（Ｂ）に示すように、それらの輝帯ＢＢ２，ＢＢ３のＹ軸方向の幅寸法ＷＢＢ２，ＷＢＢ３がリニアに増加し、かつ、それらの輝帯ＢＢ２，ＢＢ３の間隔ＤＴ２３がリニアに減少する。次いで、図２７（Ｂ）および図２８（Ｂ）に示すように、ＬＥＤ光源１および導光レンズ２に対する導光レンズ３のＸ軸方向の相対的な更なる移動に伴って、１本の輝帯ＢＢ４が導光レンズ３の出光部３ｂの出光面３ｂ２に形成されると共に、その輝帯ＢＢ４のＹ軸方向の幅寸法ＷＢＢ４がリニアに減少する。
【０１０１】
以下、本発明のＬＥＤ照明装置の第９の実施形態について説明する。図３０および図３１は第９の実施形態のＬＥＤ照明装置１００を示した図である。詳細には、図３０（Ａ）は第９の実施形態のＬＥＤ照明装置１００の平面図、図３０（Ｂ）は第９の実施形態のＬＥＤ照明装置１００の正面図、図３１（Ａ）は図３０（Ａ）のＥ−Ｅ線に沿った第９の実施形態のＬＥＤ照明装置１００の鉛直断面図、図３１（Ｂ）は図３０（Ａ）のＦ−Ｆ線に沿った第９の実施形態のＬＥＤ照明装置１００の鉛直断面図である。図３２および図３３は第９の実施形態のＬＥＤ照明装置１００の一部を構成する導光レンズ２を説明するための図である。詳細には、図３２（Ａ）はＬＥＤ光源１の発光面の発光中心から照射され、図３１（Ａ）に示す断面内を進み、導光レンズ２の入光面２ａ，２ａ’および出光面２ｂ１，２ｂ４，２ｂ７を透過する光を示した拡大図である。図３２（Ｂ）は水平な仮想平面Ｓ１（図３１（Ａ）参照）に投影された導光レンズ２（図３１（Ａ）参照）の出光面２ｂ１，２ｂ２，２ｂ３，２ｂ４，２ｂ５，２ｂ６，２ｂ７を示した拡大図である。図３３（Ａ）はＬＥＤ光源１の発光面の発光中心から照射され、導光レンズ２の中心軸線２’と出光面２ｂ２，２ｂ５とを含む断面内を進み、導光レンズ２の入光面２ａ，２ａ’および出光面２ｂ２，２ｂ５，２ｂ７を透過する光を示した拡大図である。図３３（Ｂ）はＬＥＤ光源１の発光面の発光中心から照射され、導光レンズ２の中心軸線２’と出光面２ｂ３，２ｂ６とを含む断面内を進み、導光レンズ２の入光面２ａ，２ａ’および出光面２ｂ３，２ｂ６，２ｂ７を透過する光を示した拡大図である。
【０１０２】
図３４は導光レンズ３の入光部３ａ（図４参照）の入光面３ａ１がＸ軸方向の位置Ｘ１に配置されている時の第９の実施形態のＬＥＤ照明装置１００を説明するための図である。図３５は導光レンズ３の入光部３ａ（図４参照）の入光面３ａ１がＸ軸方向の位置Ｘ２に配置されている時の第９の実施形態のＬＥＤ照明装置１００を説明するための図である。図３６は導光レンズ３の入光部３ａ（図４参照）の入光面３ａ１がＸ軸方向の位置Ｘ２ｃに配置されている時の第９の実施形態のＬＥＤ照明装置１００を説明するための図である。図３７は導光レンズ３の入光部３ａ（図４参照）の入光面３ａ１がＸ軸方向の位置Ｘ２ｄに配置されている時の第９の実施形態のＬＥＤ照明装置１００を説明するための図である。図３８は導光レンズ３の入光部３ａ（図４参照）の入光面３ａ１がＸ軸方向の位置Ｘ２ｅに配置されている時の第９の実施形態のＬＥＤ照明装置１００を説明するための図である。図３９は導光レンズ３の入光部３ａ（図４参照）の入光面３ａ１がＸ軸方向の位置Ｘ２ｆに配置されている時の第９の実施形態のＬＥＤ照明装置１００を説明するための図である。図４０は導光レンズ３の入光部３ａ（図４参照）の入光面３ａ１がＸ軸方向の位置Ｘ３に配置されている時の第９の実施形態のＬＥＤ照明装置１００を説明するための図である。
【０１０３】
第９の実施形態のＬＥＤ照明装置１００では、導光レンズ２（図３１（Ａ）、図３２（Ａ）および図３３参照）の形状が、第１の実施形態のＬＥＤ照明装置１００の導光レンズ２（図２（Ａ）および図３（Ａ）参照）の形状とは異なっている。第９の実施形態のＬＥＤ照明装置１００の導光レンズ２以外の構成部品は、第１の実施形態のＬＥＤ照明装置１００の導光レンズ２以外の構成部品とほぼ同様に構成されている。
【０１０４】
第９の実施形態のＬＥＤ照明装置１００では、図３１（Ａ）、図３２（Ａ）および図３３に示すように、ＬＥＤ光源１からの光が入光する入光面２ａ，２ａ’と、導光レンズ２によって導光された光が出光する出光面２ｂ１，２ｂ２，２ｂ３，２ｂ４，２ｂ５，２ｂ６，２ｂ７とが、導光レンズ２に形成されている。また、図３２（Ａ）および図３３に示すように、ＬＥＤ光源１の発光面の発光中心から照射され、導光レンズ２によって導光され、導光レンズ２の出光面２ｂ１，２ｂ２，２ｂ３，２ｂ４，２ｂ５，２ｂ６，２ｂ７から出光する光がＺ軸方向に平行な光になるように、導光レンズ２が形成されている。
【０１０５】
詳細には、第９の実施形態のＬＥＤ照明装置１００では、図３２（Ａ）に示すように、ＬＥＤ光源１の発光面の発光中心から照射された光の一部が、導光レンズ２の入光面２ａを透過してＺ軸方向に平行な光になり、次いで、次いで、導光レンズ２の出光面２ｂ７を素通りし、Ｚ軸方向に平行な光になる。更に、ＬＥＤ光源１の発光面の発光中心から照射された光の一部が、導光レンズ２の入光面２ａ’を透過し、次いで、導光レンズ２の反射面２ａ１によって内面反射されてＺ軸方向に平行な光になり、次いで、導光レンズ２の環状の出光面２ｂ７を素通りし、Ｚ軸方向に平行な光になる。
【０１０６】
また、第９の実施形態のＬＥＤ照明装置１００では、図３２（Ａ）に示すように、ＬＥＤ光源１の発光面の発光中心から照射された光の一部が、導光レンズ２の入光面２ａ’を透過し、次いで、導光レンズ２の反射面２ａ１によって内面反射されてＺ軸方向に平行な光になり、次いで、導光レンズ２の環状の出光面２ｂ１を素通りし、Ｚ軸方向に平行な光になる。更に、ＬＥＤ光源１の発光面の発光中心から照射された光の一部が、導光レンズ２の入光面２ａ’を透過し、次いで、導光レンズ２の反射面２ａ１によって内面反射されてＺ軸方向に平行な光になり、次いで、導光レンズ２の反射面によって反射されて導光レンズ２の中心軸線２’に垂直な光になり、次いで、導光レンズ２の反射面によって内面反射されてＺ軸方向に平行な光になり、次いで、導光レンズ２の環状の出光面２ｂ１を素通りし、Ｚ軸方向に平行な光になる。
【０１０７】
更に、第９の実施形態のＬＥＤ照明装置１００では、図３２（Ａ）に示すように、ＬＥＤ光源１の発光面の発光中心から照射された光の一部が、導光レンズ２の入光面２ａ’を透過し、次いで、導光レンズ２の反射面２ａ１によって内面反射されてＺ軸方向に平行な光になり、次いで、導光レンズ２の環状の出光面２ｂ４を素通りし、Ｚ軸方向に平行な光になる。また、ＬＥＤ光源１の発光面の発光中心から照射された光の一部が、導光レンズ２の入光面２ａ’を透過し、次いで、導光レンズ２の反射面２ａ１によって内面反射されてＺ軸方向に平行な光になり、次いで、導光レンズ２の反射面によって反射されて導光レンズ２の中心軸線２’に垂直な光になり、次いで、導光レンズ２の反射面によって内面反射されてＺ軸方向に平行な光になり、次いで、導光レンズ２の環状の出光面２ｂ４を素通りし、Ｚ軸方向に平行な光になる。
【０１０８】
また、第９の実施形態のＬＥＤ照明装置１００では、図３３（Ａ）に示すように、ＬＥＤ光源１の発光面の発光中心から照射された光の一部が、導光レンズ２の入光面２ａ’を透過し、次いで、導光レンズ２の反射面２ａ１によって内面反射されてＺ軸方向に平行な光（導光レンズ２の中心軸線２’に平行な光）になり、次いで、導光レンズ２の環状の出光面２ｂ２を素通りし、Ｚ軸方向に平行な光（導光レンズ２の中心軸線２’に平行な光）になる。更に、ＬＥＤ光源１の発光面の発光中心から照射された光の一部が、導光レンズ２の入光面２ａ’を透過し、次いで、導光レンズ２の反射面２ａ１によって内面反射されてＺ軸方向に平行な光（導光レンズ２の中心軸線２’に平行な光）になり、次いで、導光レンズ２の反射面によって反射されて導光レンズ２の中心軸線２’に垂直な光になり、次いで、導光レンズ２の反射面によって内面反射されてＺ軸方向に平行な光（導光レンズ２の中心軸線２’に平行な光）になり、次いで、導光レンズ２の環状の出光面２ｂ２を素通りし、Ｚ軸方向に平行な光になる。
【０１０９】
更に、第９の実施形態のＬＥＤ照明装置１００では、図３３（Ａ）に示すように、ＬＥＤ光源１の発光面の発光中心から照射された光の一部が、導光レンズ２の入光面２ａ’を透過し、次いで、導光レンズ２の反射面２ａ１によって内面反射されてＺ軸方向に平行な光（導光レンズ２の中心軸線２’に平行な光）になり、次いで、導光レンズ２の環状の出光面２ｂ５を素通りし、Ｚ軸方向に平行な光（導光レンズ２の中心軸線２’に平行な光）になる。また、ＬＥＤ光源１の発光面の発光中心から照射された光の一部が、導光レンズ２の入光面２ａ’を透過し、次いで、導光レンズ２の反射面２ａ１によって内面反射されてＺ軸方向に平行な光（導光レンズ２の中心軸線２’に平行な光）になり、次いで、導光レンズ２の反射面によって反射されて導光レンズ２の中心軸線２’に垂直な光になり、次いで、導光レンズ２の反射面によって内面反射されてＺ軸方向に平行な光（導光レンズ２の中心軸線２’に平行な光）になり、次いで、導光レンズ２の環状の出光面２ｂ５を素通りし、Ｚ軸方向に平行な光になる。
【０１１０】
また、第９の実施形態のＬＥＤ照明装置１００では、図３３（Ｂ）に示すように、ＬＥＤ光源１の発光面の発光中心から照射された光の一部が、導光レンズ２の入光面２ａ’を透過し、次いで、導光レンズ２の反射面２ａ１によって内面反射されてＺ軸方向に平行な光（導光レンズ２の中心軸線２’に平行な光）になり、次いで、導光レンズ２の環状の出光面２ｂ３を素通りし、Ｚ軸方向に平行な光（導光レンズ２の中心軸線２’に平行な光）になる。更に、ＬＥＤ光源１の発光面の発光中心から照射された光の一部が、導光レンズ２の入光面２ａ’を透過し、次いで、導光レンズ２の反射面２ａ１によって内面反射されてＺ軸方向に平行な光（導光レンズ２の中心軸線２’に平行な光）になり、次いで、導光レンズ２の反射面によって反射されて導光レンズ２の中心軸線２’に垂直な光になり、次いで、導光レンズ２の反射面によって内面反射されてＺ軸方向に平行な光（導光レンズ２の中心軸線２’に平行な光）になり、次いで、導光レンズ２の環状の出光面２ｂ３を素通りし、Ｚ軸方向に平行な光になる。
【０１１１】
更に、第９の実施形態のＬＥＤ照明装置１００では、図３３（Ｂ）に示すように、ＬＥＤ光源１の発光面の発光中心から照射された光の一部が、導光レンズ２の入光面２ａ’を透過し、次いで、導光レンズ２の反射面２ａ１によって内面反射されてＺ軸方向に平行な光（導光レンズ２の中心軸線２’に平行な光）になり、次いで、導光レンズ２の環状の出光面２ｂ６を素通りし、Ｚ軸方向に平行な光（導光レンズ２の中心軸線２’に平行な光）になる。また、ＬＥＤ光源１の発光面の発光中心から照射された光の一部が、導光レンズ２の入光面２ａ’を透過し、次いで、導光レンズ２の反射面２ａ１によって内面反射されてＺ軸方向に平行な光（導光レンズ２の中心軸線２’に平行な光）になり、次いで、導光レンズ２の反射面によって反射されて導光レンズ２の中心軸線２’に垂直な光になり、次いで、導光レンズ２の反射面によって内面反射されてＺ軸方向に平行な光（導光レンズ２の中心軸線２’に平行な光）になり、次いで、導光レンズ２の環状の出光面２ｂ６を素通りし、Ｚ軸方向に平行な光になる。
【０１１２】
また、第９の実施形態のＬＥＤ照明装置１００では、図３２（Ｂ）に示すように、導光レンズ２（図３２（Ａ）および図３３参照）の出光面２ｂ１，２ｂ２，２ｂ３，２ｂ４，２ｂ５，２ｂ６，２ｂ７（図３２（Ａ）および図３３参照）から出光する光に垂直（つまり、Ｚ軸に垂直）な仮想平面Ｓ１（図３１（Ａ）参照）に導光レンズ２の出光面２ｂ１，２ｂ２，２ｂ３，２ｂ４，２ｂ５，２ｂ６，２ｂ７を投影すると、仮想平面Ｓ１に投影された導光レンズ２の出光面２ｂ１，２ｂ２，２ｂ３，２ｂ４，２ｂ５，２ｂ６，２ｂ７のＹ軸方向の幅寸法Ｗ２ｂ１，Ｗ２ｂ２，Ｗ２ｂ６，Ｗ２ｂ７，…が、Ｘ軸方向の位置に応じて異なるように、導光レンズ２の出光面２ｂ１，２ｂ２，２ｂ３，２ｂ４，２ｂ５，２ｂ６，２ｂ７の形状が設定されている。
【０１１３】
詳細には、第９の実施形態のＬＥＤ照明装置１００では、図３２および図３３に示すように、導光レンズ２が、その中心軸線２’を中心とする６０°回転対称形状に形成されている。また、図３２（Ｂ）に示すように、仮想平面Ｓ１に投影された導光レンズ２（図３２（Ａ）および図３３参照）の出光面２ｂ１，２ｂ２，２ｂ３，２ｂ４，２ｂ５，２ｂ６，２ｂ７の形状が、円形に設定されている。図３２（Ｂ）に示す例では、Ｘ軸方向の位置Ｘ１における仮想平面Ｓ１に投影された導光レンズ２の出光面２ｂ１，２ｂ２，２ｂ３，２ｂ４，２ｂ５，２ｂ６，２ｂ７のＹ軸方向の幅寸法Ｗ２ｂ１，Ｗ２ｂ２，Ｗ２ｂ６，Ｗ２ｂ７，…がゼロになる。また、Ｘ軸方向の位置Ｘ２における仮想平面Ｓ１に投影された導光レンズ２の出光面２ｂ１のＹ軸方向の幅寸法Ｗ２ｂ１（Ｘ２）が、Ｘ軸方向の位置Ｘ２ｃにおける仮想平面Ｓ１に投影された導光レンズ２の出光面２ｂ１のＹ軸方向の幅寸法Ｗ２ｂ１（Ｘ２ｃ）よりも小さくなる。更に、Ｘ軸方向の位置Ｘ２ｄにおける仮想平面Ｓ１に投影された導光レンズ２の出光面２ｂ１のＹ軸方向の幅寸法Ｗ２ｂ１（Ｘ２ｄ）が、Ｘ軸方向の位置Ｘ２における仮想平面Ｓ１に投影された導光レンズ２の出光面２ｂ１のＹ軸方向の幅寸法Ｗ２ｂ１（Ｘ２）よりも小さくなる。
【０１１４】
また、図３２（Ｂ）に示す例では、Ｘ軸方向の位置Ｘ２ｄにおける仮想平面Ｓ１に投影された導光レンズ２の出光面２ｂ２のＹ軸方向の幅寸法Ｗ２ｂ２（Ｘ２ｄ）が、Ｘ軸方向の位置Ｘ２ｅにおける仮想平面Ｓ１に投影された導光レンズ２の出光面２ｂ２のＹ軸方向の幅寸法Ｗ２ｂ２（Ｘ２ｅ）よりも小さくなる。更に、Ｘ軸方向の位置Ｘ２ｆにおける仮想平面Ｓ１に投影された導光レンズ２の出光面２ｂ２のＹ軸方向の幅寸法Ｗ２ｂ２（Ｘ２ｆ）が、Ｘ軸方向の位置Ｘ２ｄにおける仮想平面Ｓ１に投影された導光レンズ２の出光面２ｂ２のＹ軸方向の幅寸法Ｗ２ｂ２（Ｘ２ｄ）よりも小さくなる。
【０１１５】
更に、図３２（Ｂ）に示す例では、Ｘ軸方向の位置Ｘ２ｄにおける仮想平面Ｓ１に投影された導光レンズ２の出光面２ｂ６のＹ軸方向の幅寸法Ｗ２ｂ６（Ｘ２ｄ）が、Ｘ軸方向の位置Ｘ２ｅにおける仮想平面Ｓ１に投影された導光レンズ２の出光面２ｂ６のＹ軸方向の幅寸法Ｗ２ｂ６（Ｘ２ｅ）よりも小さくなる。また、Ｘ軸方向の位置Ｘ２ｆにおける仮想平面Ｓ１に投影された導光レンズ２の出光面２ｂ６のＹ軸方向の幅寸法Ｗ２ｂ６（Ｘ２ｆ）が、Ｘ軸方向の位置Ｘ２ｄにおける仮想平面Ｓ１に投影された導光レンズ２の出光面２ｂ６のＹ軸方向の幅寸法Ｗ２ｂ６（Ｘ２ｄ）よりも小さくなる。更に、Ｘ軸方向の位置Ｘ２ｆにおける仮想平面Ｓ１に投影された導光レンズ２の出光面２ｂ７のＹ軸方向の幅寸法Ｗ２ｂ７（Ｘ２ｆ）が、Ｘ軸方向の位置Ｘ３における仮想平面Ｓ１に投影された導光レンズ２の出光面２ｂ７のＹ軸方向の幅寸法Ｗ２ｂ７（Ｘ３）よりも小さくなる。
【０１１６】
具体的には、第９の実施形態のＬＥＤ照明装置１００では、図３４に示すように、導光レンズ３の入光部３ａ（図３１（Ａ）参照）の入光面３ａ１（図４および図３４（Ａ）参照）がＸ軸方向の位置Ｘ１（図３４（Ａ）参照）に位置する時（つまり、図３４に示す状態の時）に、Ｘ軸方向の位置Ｘ１（図３４（Ａ）参照）における導光レンズ２（図３１（Ａ）参照）の出光面２ｂ１，２ｂ２，２ｂ３，２ｂ４，２ｂ５，２ｂ６，２ｂ７（図３１（Ａ）および図３４（Ａ）参照）のＹ軸方向の幅寸法Ｗ２ｂ１，Ｗ２ｂ２，Ｗ２ｂ６，Ｗ２ｂ７，…（図３２（Ｂ）参照）がゼロになる。その結果、図３４に示す状態の時には、輝帯が導光レンズ３の出光部３ｂの出光面３ｂ２に形成されない。
【０１１７】
次いで、第９の実施形態のＬＥＤ照明装置１００では、図３５に示すように、導光レンズ３がＬＥＤ光源１（図３１（Ａ）参照）および導光レンズ２に対してＸ軸方向の例えばマイナス側（図３５の左側）に移動せしめられ、導光レンズ３の入光部３ａ（図３１（Ａ）参照）の入光面３ａ１（図４および図３５（Ａ）参照）がＸ軸方向の位置Ｘ２（図３５（Ａ）参照）に位置する時（つまり、図３５に示す状態の時）に、導光レンズ２の出光面２ｂ１（図３５（Ａ）参照）のうち、導光レンズ３の入光部３ａの入光面３ａ１（図３５（Ａ）参照）に対向する領域ＡＲ１（Ｘ２）（図３５（Ａ）参照）から出光する光が、導光レンズ３の入光部３ａの入光面３ａ１を介して導光レンズ３に入光し、導光レンズ３によって導光される。その結果、図３５に示す状態の時には、Ｘ軸方向の位置Ｘ２（図３５（Ａ）参照）における導光レンズ２の出光面２ｂ１（図３５（Ａ）参照）のＹ軸方向の幅寸法Ｗ２ｂ１（Ｘ２）（図３２（Ｂ）参照）に概略等しいＹ軸方向の幅寸法ＷＢＢ１（Ｘ２）（図３５（Ｂ）参照）を有する輝帯ＢＢ１（Ｘ２）（図３５（Ｂ）参照）が、導光レンズ３の出光部３ｂの出光面３ｂ２に形成される。
【０１１８】
次いで、第９の実施形態のＬＥＤ照明装置１００では、図３６に示すように、導光レンズ３がＬＥＤ光源１（図３１（Ａ）参照）および導光レンズ２に対してＸ軸方向のマイナス側（図３６の左側）に更に移動せしめられ、導光レンズ３の入光部３ａ（図３１（Ａ）参照）の入光面３ａ１（図４および図３６（Ａ）参照）がＸ軸方向の位置Ｘ２ｃ（図３６（Ａ）参照）に位置する時（つまり、図３６に示す状態の時）に、導光レンズ２の出光面２ｂ１（図３６（Ａ）参照）のうち、導光レンズ３の入光部３ａの入光面３ａ１（図３６（Ａ）参照）に対向する領域ＡＲ１（Ｘ２ｃ）（図３６（Ａ）参照）から出光する光が、導光レンズ３の入光部３ａの入光面３ａ１を介して導光レンズ３に入光し、導光レンズ３によって導光される。その結果、図３６に示す状態の時には、Ｘ軸方向の位置Ｘ２ｃ（図３６（Ａ）参照）における導光レンズ２の出光面２ｂ１（図３６（Ａ）参照）のＹ軸方向の幅寸法Ｗ２ｂ１（Ｘ２ｃ）（図３２（Ｂ）参照）に概略等しいＹ軸方向の幅寸法ＷＢＢ１（Ｘ２ｃ）（図３６（Ｂ）参照）を有する輝帯ＢＢ１（Ｘ２ｃ）（図３６（Ｂ）参照）が、導光レンズ３の出光部３ｂの出光面３ｂ２に形成される。
【０１１９】
詳細には、第９の実施形態のＬＥＤ照明装置１００では、導光レンズ３（図３１（Ａ）参照）の入光部３ａ（図３１（Ａ）参照）の入光面３ａ１（図４および図３６（Ａ）参照）がＸ軸方向の位置Ｘ２（図３６（Ａ）参照）から位置Ｘ２ｃ（図３６（Ａ）参照）まで移動する間、導光レンズ２（図３１（Ａ）参照）の出光面２ｂ１（図３６（Ａ）参照）のうち、導光レンズ３の入光部３ａの入光面３ａ１（図３６（Ａ）参照）に対向する位置Ｘ２〜Ｘ２ｃのＹ軸方向の幅寸法Ｗ２ｂ１（図３２（Ｂ）参照）がリニアに増加するのに伴って、導光レンズ３の出光部３ｂ（図３６（Ｂ）参照）の出光面３ｂ２（図３６（Ｂ）参照）に形成される輝帯ＢＢ１（図３６（Ｂ）参照）のＹ軸方向の幅寸法ＷＢＢ１（図３６（Ｂ）参照）がリニアに増加する。
【０１２０】
次いで、第９の実施形態のＬＥＤ照明装置１００では、図３７に示すように、導光レンズ３がＬＥＤ光源１（図３１（Ａ）参照）および導光レンズ２に対してＸ軸方向のマイナス側（図３７の左側）に更に移動せしめられ、導光レンズ３の入光部３ａ（図３１（Ａ）参照）の入光面３ａ１（図４および図３７（Ａ）参照）がＸ軸方向の位置Ｘ２ｄ（図３７（Ａ）参照）に位置する時（つまり、図３７に示す状態の時）に、導光レンズ２の出光面２ｂ１（図３７（Ａ）参照）のうち、導光レンズ３の入光部３ａの入光面３ａ１（図３７（Ａ）参照）に対向する領域ＡＲ１（Ｘ２ｄ）（図３７（Ａ）参照）から出光する光、導光レンズ２の出光面２ｂ２（図３７（Ａ）参照）のうち、導光レンズ３の入光部３ａの入光面３ａ１（図３７（Ａ）参照）に対向する領域ＡＲ２（Ｘ２ｄ）（図３７（Ａ）参照）から出光する光、および、導光レンズ２の出光面２ｂ６（図３７（Ａ）参照）のうち、導光レンズ３の入光部３ａの入光面３ａ１（図３７（Ａ）参照）に対向する領域ＡＲ６（Ｘ２ｄ）（図３７（Ａ）参照）から出光する光が、導光レンズ３の入光部３ａの入光面３ａ１を介して導光レンズ３に入光し、導光レンズ３によって導光される。その結果、図３７に示す状態の時には、Ｘ軸方向の位置Ｘ２ｄ（図３７（Ａ）参照）における導光レンズ２の出光面２ｂ１（図３７（Ａ）参照）のＹ軸方向の幅寸法Ｗ２ｂ１（Ｘ２ｄ）（図３２（Ｂ）参照）に概略等しいＹ軸方向の幅寸法ＷＢＢ１（Ｘ２ｄ）（図３７（Ｂ）参照）を有する輝帯ＢＢ１（Ｘ２ｄ）（図３７（Ｂ）参照）、Ｘ軸方向の位置Ｘ２ｄ（図３７（Ａ）参照）における導光レンズ２の出光面２ｂ２（図３７（Ａ）参照）のＹ軸方向の幅寸法Ｗ２ｂ２（Ｘ２ｄ）（図３２（Ｂ）参照）に概略等しいＹ軸方向の幅寸法ＷＢＢ２（Ｘ２ｄ）（図３７（Ｂ）参照）を有する輝帯ＢＢ２（Ｘ２ｄ）（図３７（Ｂ）参照）、および、Ｘ軸方向の位置Ｘ２ｄ（図３７（Ａ）参照）における導光レンズ２の出光面２ｂ６（図３７（Ａ）参照）のＹ軸方向の幅寸法Ｗ２ｂ６（Ｘ２ｄ）（図３２（Ｂ）参照）に概略等しいＹ軸方向の幅寸法ＷＢＢ６（Ｘ２ｄ）（図３７（Ｂ）参照）を有する輝帯ＢＢ６（Ｘ２ｄ）（図３７（Ｂ）参照）が、導光レンズ３の出光部３ｂの出光面３ｂ２に形成される。
【０１２１】
詳細には、第９の実施形態のＬＥＤ照明装置１００では、導光レンズ３（図３１（Ａ）参照）の入光部３ａ（図３１（Ａ）参照）の入光面３ａ１（図４および図３７（Ａ）参照）がＸ軸方向の位置Ｘ２ｃ（図３７（Ａ）参照）から位置Ｘ２ｄ（図３７（Ａ）参照）まで移動する間、導光レンズ２（図３１（Ａ）参照）の出光面２ｂ１（図３７（Ａ）参照）のうち、導光レンズ３の入光部３ａの入光面３ａ１（図３７（Ａ）参照）に対向する位置Ｘ２ｃ〜Ｘ２ｄのＹ軸方向の幅寸法Ｗ２ｂ１（図３２（Ｂ）参照）がリニアに減少するのに伴って、導光レンズ３の出光部３ｂ（図３７（Ｂ）参照）の出光面３ｂ２（図３７（Ｂ）参照）に形成される輝帯ＢＢ１（図３７（Ｂ）参照）のＹ軸方向の幅寸法ＷＢＢ１（図３７（Ｂ）参照）がリニアに減少する。
【０１２２】
次いで、第９の実施形態のＬＥＤ照明装置１００では、図３８に示すように、導光レンズ３がＬＥＤ光源１（図３１（Ａ）参照）および導光レンズ２に対してＸ軸方向のマイナス側（図３８の左側）に更に移動せしめられ、導光レンズ３の入光部３ａ（図３１（Ａ）参照）の入光面３ａ１（図４および図３８（Ａ）参照）がＸ軸方向の位置Ｘ２ｅ（図３８（Ａ）参照）に位置する時（つまり、図３８に示す状態の時）に、導光レンズ２の出光面２ｂ２（図３８（Ａ）参照）のうち、導光レンズ３の入光部３ａの入光面３ａ１（図３８（Ａ）参照）に対向する領域ＡＲ２（Ｘ２ｅ）（図３８（Ａ）参照）から出光する光、および、導光レンズ２の出光面２ｂ６（図３８（Ａ）参照）のうち、導光レンズ３の入光部３ａの入光面３ａ１（図３８（Ａ）参照）に対向する領域ＡＲ６（Ｘ２ｅ）（図３８（Ａ）参照）から出光する光が、導光レンズ３の入光部３ａの入光面３ａ１を介して導光レンズ３に入光し、導光レンズ３によって導光される。その結果、図３８に示す状態の時には、Ｘ軸方向の位置Ｘ２ｅ（図３８（Ａ）参照）における導光レンズ２の出光面２ｂ２（図３８（Ａ）参照）のＹ軸方向の幅寸法Ｗ２ｂ２（Ｘ２ｅ）（図３２（Ｂ）参照）に概略等しいＹ軸方向の幅寸法ＷＢＢ２（Ｘ２ｅ）（図３８（Ｂ）参照）を有する輝帯ＢＢ２（Ｘ２ｅ）（図３８（Ｂ）参照）、および、Ｘ軸方向の位置Ｘ２ｅ（図３８（Ａ）参照）における導光レンズ２の出光面２ｂ６（図３８（Ａ）参照）のＹ軸方向の幅寸法Ｗ２ｂ６（Ｘ２ｅ）（図３２（Ｂ）参照）に概略等しいＹ軸方向の幅寸法ＷＢＢ６（Ｘ２ｅ）（図３８（Ｂ）参照）を有する輝帯ＢＢ６（Ｘ２ｅ）（図３８（Ｂ）参照）が、導光レンズ３の出光部３ｂの出光面３ｂ２に形成される。
【０１２３】
詳細には、第９の実施形態のＬＥＤ照明装置１００では、導光レンズ３（図３１（Ａ）参照）の入光部３ａ（図３１（Ａ）参照）の入光面３ａ１（図４および図３８（Ａ）参照）がＸ軸方向の位置Ｘ２ｄ（図３８（Ａ）参照）から位置Ｘ２ｅ（図３８（Ａ）参照）まで移動する間、導光レンズ２（図３１（Ａ）参照）の出光面２ｂ２（図３８（Ａ）参照）のうち、導光レンズ３の入光部３ａの入光面３ａ１（図３８（Ａ）参照）に対向する位置Ｘ２ｄ〜Ｘ２ｅのＹ軸方向の幅寸法Ｗ２ｂ２（図３２（Ｂ）参照）がリニアに増加するのに伴って、導光レンズ３の出光部３ｂ（図３８（Ｂ）参照）の出光面３ｂ２（図３８（Ｂ）参照）に形成される輝帯ＢＢ２（図３８（Ｂ）参照）のＹ軸方向の幅寸法ＷＢＢ２（図３８（Ｂ）参照）がリニアに増加する。
【０１２４】
また、第９の実施形態のＬＥＤ照明装置１００では、導光レンズ３（図３１（Ａ）参照）の入光部３ａ（図３１（Ａ）参照）の入光面３ａ１（図４および図３８（Ａ）参照）がＸ軸方向の位置Ｘ２ｄ（図３８（Ａ）参照）から位置Ｘ２ｅ（図３８（Ａ）参照）まで移動する間、導光レンズ２（図３１（Ａ）参照）の出光面２ｂ６（図３８（Ａ）参照）のうち、導光レンズ３の入光部３ａの入光面３ａ１（図３８（Ａ）参照）に対向する位置Ｘ２ｄ〜Ｘ２ｅのＹ軸方向の幅寸法Ｗ２ｂ６（図３２（Ｂ）参照）がリニアに増加するのに伴って、導光レンズ３の出光部３ｂ（図３８（Ｂ）参照）の出光面３ｂ２（図３８（Ｂ）参照）に形成される輝帯ＢＢ６（図３８（Ｂ）参照）のＹ軸方向の幅寸法ＷＢＢ６（図３８（Ｂ）参照）がリニアに増加する。
【０１２５】
次いで、第９の実施形態のＬＥＤ照明装置１００では、図３９に示すように、導光レンズ３がＬＥＤ光源１（図３１（Ａ）参照）および導光レンズ２に対してＸ軸方向のマイナス側（図３９の左側）に更に移動せしめられ、導光レンズ３の入光部３ａ（図３１（Ａ）参照）の入光面３ａ１（図４および図３９（Ａ）参照）がＸ軸方向の位置Ｘ２ｆ（図３９（Ａ）参照）に位置する時（つまり、図３９に示す状態の時）に、導光レンズ２の出光面２ｂ２（図３９（Ａ）参照）のうち、導光レンズ３の入光部３ａの入光面３ａ１（図３９（Ａ）参照）に対向する領域ＡＲ２（Ｘ２ｆ）（図３９（Ａ）参照）から出光する光、導光レンズ２の出光面２ｂ６（図３９（Ａ）参照）のうち、導光レンズ３の入光部３ａの入光面３ａ１（図３９（Ａ）参照）に対向する領域ＡＲ６（Ｘ２ｆ）（図３９（Ａ）参照）から出光する光、および、導光レンズ２の出光面２ｂ７（図３９（Ａ）参照）のうち、導光レンズ３の入光部３ａの入光面３ａ１（図３９（Ａ）参照）に対向する領域ＡＲ７（Ｘ２ｆ）（図３９（Ａ）参照）から出光する光が、導光レンズ３の入光部３ａの入光面３ａ１を介して導光レンズ３に入光し、導光レンズ３によって導光される。その結果、図３９に示す状態の時には、Ｘ軸方向の位置Ｘ２ｆ（図３９（Ａ）参照）における導光レンズ２の出光面２ｂ２（図３９（Ａ）参照）のＹ軸方向の幅寸法Ｗ２ｂ２（Ｘ２ｆ）（図３２（Ｂ）参照）に概略等しいＹ軸方向の幅寸法ＷＢＢ２（Ｘ２ｆ）（図３９（Ｂ）参照）を有する輝帯ＢＢ２（Ｘ２ｆ）（図３９（Ｂ）参照）、Ｘ軸方向の位置Ｘ２ｆ（図３９（Ａ）参照）における導光レンズ２の出光面２ｂ６（図３９（Ａ）参照）のＹ軸方向の幅寸法Ｗ２ｂ６（Ｘ２ｆ）（図３２（Ｂ）参照）に概略等しいＹ軸方向の幅寸法ＷＢＢ６（Ｘ２ｆ）（図３９（Ｂ）参照）を有する輝帯ＢＢ６（Ｘ２ｆ）（図３９（Ｂ）参照）、および、Ｘ軸方向の位置Ｘ２ｆ（図３９（Ａ）参照）における導光レンズ２の出光面２ｂ７（図３９（Ａ）参照）のＹ軸方向の幅寸法Ｗ２ｂ７（Ｘ２ｆ）（図３２（Ｂ）参照）に概略等しいＹ軸方向の幅寸法ＷＢＢ７（Ｘ２ｆ）（図３９（Ｂ）参照）を有する輝帯ＢＢ７（Ｘ２ｆ）（図３９（Ｂ）参照）が、導光レンズ３の出光部３ｂの出光面３ｂ２に形成される。
【０１２６】
詳細には、第９の実施形態のＬＥＤ照明装置１００では、導光レンズ３（図３１（Ａ）参照）の入光部３ａ（図３１（Ａ）参照）の入光面３ａ１（図４および図３９（Ａ）参照）がＸ軸方向の位置Ｘ２ｅ（図３９（Ａ）参照）から位置Ｘ２ｆ（図３９（Ａ）参照）まで移動する間、導光レンズ２（図３１（Ａ）参照）の出光面２ｂ２（図３９（Ａ）参照）のうち、導光レンズ３の入光部３ａの入光面３ａ１（図３９（Ａ）参照）に対向する位置Ｘ２ｅ〜Ｘ２ｆのＹ軸方向の幅寸法Ｗ２ｂ２（図３２（Ｂ）参照）がリニアに減少するのに伴って、導光レンズ３の出光部３ｂ（図３９（Ｂ）参照）の出光面３ｂ２（図３９（Ｂ）参照）に形成される輝帯ＢＢ２（図３９（Ｂ）参照）のＹ軸方向の幅寸法ＷＢＢ２（図３９（Ｂ）参照）がリニアに減少する。
【０１２７】
また、第９の実施形態のＬＥＤ照明装置１００では、導光レンズ３（図３１（Ａ）参照）の入光部３ａ（図３１（Ａ）参照）の入光面３ａ１（図４および図３９（Ａ）参照）がＸ軸方向の位置Ｘ２ｅ（図３９（Ａ）参照）から位置Ｘ２ｆ（図３９（Ａ）参照）まで移動する間、導光レンズ２（図３１（Ａ）参照）の出光面２ｂ６（図３９（Ａ）参照）のうち、導光レンズ３の入光部３ａの入光面３ａ１（図３９（Ａ）参照）に対向する位置Ｘ２ｅ〜Ｘ２ｆのＹ軸方向の幅寸法Ｗ２ｂ６（図３２（Ｂ）参照）がリニアに減少するのに伴って、導光レンズ３の出光部３ｂ（図３９（Ｂ）参照）の出光面３ｂ２（図３９（Ｂ）参照）に形成される輝帯ＢＢ６（図３９（Ｂ）参照）のＹ軸方向の幅寸法ＷＢＢ６（図３９（Ｂ）参照）がリニアに減少する。
【０１２８】
次いで、第９の実施形態のＬＥＤ照明装置１００では、図４０に示すように、導光レンズ３がＬＥＤ光源１（図３１（Ａ）参照）および導光レンズ２に対してＸ軸方向のマイナス側（図４０の左側）に更に移動せしめられ、導光レンズ３の入光部３ａ（図３１（Ａ）参照）の入光面３ａ１（図４および図４０（Ａ）参照）がＸ軸方向の位置Ｘ３（図４０（Ａ）参照）に位置する時（つまり、図４０に示す状態の時）に、導光レンズ２の出光面２ｂ７（図４０（Ａ）参照）のうち、導光レンズ３の入光部３ａの入光面３ａ１（図４０（Ａ）参照）に対向する領域ＡＲ７（Ｘ３）（図４０（Ａ）参照）から出光する光が、導光レンズ３の入光部３ａの入光面３ａ１を介して導光レンズ３に入光し、導光レンズ３によって導光される。その結果、図４０に示す状態の時には、Ｘ軸方向の位置Ｘ３（図４０（Ａ）参照）における導光レンズ２の出光面２ｂ７（図４０（Ａ）参照）のＹ軸方向の幅寸法Ｗ２ｂ７（Ｘ３）（図３２（Ｂ）参照）に概略等しいＹ軸方向の幅寸法ＷＢＢ７（Ｘ３）（図４０（Ｂ）参照）を有する輝帯ＢＢ７（Ｘ３）（図４０（Ｂ）参照）が、導光レンズ３の出光部３ｂの出光面３ｂ２に形成される。
【０１２９】
詳細には、第９の実施形態のＬＥＤ照明装置１００では、導光レンズ３（図３１（Ａ）参照）の入光部３ａ（図３１（Ａ）参照）の入光面３ａ１（図４および図４０（Ａ）参照）がＸ軸方向の位置Ｘ２ｆ（図４０（Ａ）参照）から位置Ｘ３（図４０（Ａ）参照）まで移動する間、導光レンズ２（図３１（Ａ）参照）の出光面２ｂ７（図４０（Ａ）参照）のうち、導光レンズ３の入光部３ａの入光面３ａ１（図４０（Ａ）参照）に対向する位置Ｘ２ｆ〜Ｘ３のＹ軸方向の幅寸法Ｗ２ｂ７（図３２（Ｂ）参照）がリニアに増加するのに伴って、導光レンズ３の出光部３ｂ（図４０（Ｂ）参照）の出光面３ｂ２（図４０（Ｂ）参照）に形成される輝帯ＢＢ７（図４０（Ｂ）参照）のＹ軸方向の幅寸法ＷＢＢ７（図４０（Ｂ）参照）がリニアに増加する。
【０１３０】
すなわち、第９の実施形態のＬＥＤ照明装置１００では、図３４〜図４０に示すように、導光レンズ３がＬＥＤ光源１（図３１（Ａ）参照）および導光レンズ２に対してＸ軸方向に相対的に移動せしめられる時に、導光レンズ３の出光部３ｂの出光面３ｂ２に対向する観察位置ＶＰ（図６参照）から導光レンズ３の出光部３ｂの出光面３ｂ２を見ると、ＬＥＤ光源１および導光レンズ２に対する導光レンズ３のＸ軸方向の相対的な移動に伴って、導光レンズ３の出光部３ｂの出光面３ｂ２に形成される輝帯ＢＢ１のＹ軸方向の幅寸法ＷＢＢ１、輝帯ＢＢ２のＹ軸方向の幅寸法ＷＢＢ２、輝帯ＢＢ６のＹ軸方向の幅寸法ＷＢＢ６、および、輝帯ＢＢ７のＹ軸方向の幅寸法ＷＢＢ７がリニアに変化すると共に、導光レンズ３の出光部３ｂの出光面３ｂ２に形成される輝帯ＢＢ１，ＢＢ２，ＢＢ６，ＢＢ７の本数が変化する。
【０１３１】
第１０の実施形態では、上述した第１から第９の実施形態および各例を適宜組み合わせることも可能である。
【産業上の利用可能性】
【０１３２】
本発明のＬＥＤ照明装置は、例えば車両用灯具、一般照明装置などのような観察者に発光状態を見せるための照明装置に適用可能である。
【符号の説明】
【０１３３】
１                                    ＬＥＤ光源
１’                                  光軸
２                                    導光レンズ
２’                                  中心軸線
２ａ，２ａ’                          入光面
２ａ１                                反射面
２ｂ，２ｂ１，２ｂ２，２ｂ３          出光面
２ｂ４，２ｂ５，２ｂ６，２ｂ７        出光面
２ｃ                                  非発光部
２ｄａ，２ｄｂ                        反射面
３                                    導光レンズ
３ａ                                  入光部
３ａ１                                入光面
３ｂ                                  出光部
３ｂ１                                反射面
３ｂ１ａ                              プリズムカット
３ｂ１ａ１                            稜線
３ｂ２                                出光面
３ｃ                                  反射部
３ｃ１，３ｃ２                        反射面
３ｄ，３ｅ                            側面
３ｆ１，３ｆ２                        反射面
４                                    基板
５                                    ホルダ
６ａ，６ｂ                            ホルダ
６ａ１，６ｂ１                        被支持部
６ａ２                                ラック
７ａ                                  モータ
７ａ１                                出力軸
７ｂ                                  ピニオン
１００                                ＬＥＤ照明装置
１００ａ                              ベース部材
１００ｂ，１００ｃ                    壁部材
１００ｂ１，１００ｃ１                溝
１００ｂ２                            穴
Ｓ１，Ｓ２                            平面
ＶＰ                                  観察位置
ＡＲ，ＡＲＦ，ＡＲＲ                  領域
ＡＲ１，ＡＲ２，ＡＲ６，ＡＲ７        領域
Ｐ１，Ｐ２，Ｐ３，Ｐ４                点
Ｐ５，Ｐ６，Ｐ７                      点
ａｂ，ｃｄ                            直線
Ｘ１，Ｘ２，Ｘ２ａ，Ｘ２ｂ            位置
Ｘ２ｃ，Ｘ２ｄ，Ｘ２ｅ，Ｘ２ｆ        位置
Ｘ３，Ｘ３ａ，Ｘ３ｂ，Ｘ４，Ｘ５      位置
Ｌ１，Ｌ２，Ｌ３，Ｌ４                光
Ｌ５，Ｌ６，Ｌ７                      光
ＢＬ１，ＢＬ２，ＢＬ３                輝線
ＢＢ，ＢＢ１，ＢＢ２，ＢＢ３          輝帯
ＢＢ４，ＢＢ６，ＢＢ７                輝帯
Ｗ２ｂ，Ｗ２ｂＦ，Ｗ２ｂＲ            幅寸法
Ｗ２ｂ１，Ｗ２ｂ２                    幅寸法
Ｗ２ｂ６，Ｗ２ｂ７                    幅寸法
ＷＢＢ，ＷＢＢ１，ＷＢＢ２，ＷＢＢ３  幅寸法
ＷＢＢ４，ＷＢＢ６，ＷＢＢ７          幅寸法
【図１】
2013178976.tif 000003
【図２】
2013178976.tif 000004
【図３】
2013178976.tif 000005
【図４】
2013178976.tif 000006
【図５】
2013178976.tif 000007
【図６】
2013178976.tif 000008
【図７】
2013178976.tif 000009
【図８】
2013178976.tif 000010
【図９】
2013178976.tif 000011
【図１０】
2013178976.tif 000012
【図１１】
2013178976.tif 000013
【図１２】
2013178976.tif 000014
【図１３】
2013178976.tif 000015
【図１４】
2013178976.tif 000016
【図１５】
2013178976.tif 000017
【図１６】
2013178976.tif 000018
【図１７】
2013178976.tif 000019
【図１８】
2013178976.tif 000020
【図１９】
2013178976.tif 000021
【図２０】
2013178976.tif 000022
【図２１】
2013178976.tif 000023
【図２２】
2013178976.tif 000024
【図２３】
2013178976.tif 000025
【図２４】
2013178976.tif 000026
【図２５】
2013178976.tif 000027
【図２６】
2013178976.tif 000028
【図２７】
2013178976.tif 000029
【図２８】
2013178976.tif 000030
【図２９】
2013178976.tif 000031
【図３０】
2013178976.tif 000032
【図３１】
2013178976.tif 000033
【図３２】
2013178976.tif 000034
【図３３】
2013178976.tif 000035
【図３４】
2013178976.tif 000036
【図３５】
2013178976.tif 000037
【図３６】
2013178976.tif 000038
【図３７】
2013178976.tif 000039
【図３８】
2013178976.tif 000040
【図３９】
2013178976.tif 000041
【図４０】
2013178976.tif 000042